(57)【要約】【課題】レバー式の操作子の支持機構等の破損を効果的に防止可能なゲーム端末、及び報知方法を提供する。【解決手段】ゲームの実行中において、プレイヤの操作によりレバー６１００が回動されたときに、レバー６１００の傾き角度を傾き検出機構６００ａによって検出すると共に、検出した傾き角度に基づいて履歴情報を更新し、更新された履歴情報が所定の警告条件を満たすか否かを判定し、所定の警告条件を満たしている場合は、プレイヤに警告を報知すると共に警告数を更新し、警告数が所定値に達した場合、実行中の前記ゲームを無効化する。【選択図】図１
2013118903.tif 000002
【特許請求の範囲】
【請求項１】
下記構成を備えるゲーム端末であって、
プレイヤに報知する報知部と、
一端部が回動可能に支持され、前記プレイヤの回動操作を受け付けるためのレバー式の操作子と、
前記操作子の傾き角度を検出する傾き検出機構と、
検出した前記傾き角度に基づく履歴情報を記憶する履歴情報記憶部と、
警告数を記憶する警告記憶部と
以下（ａ１）〜（ａ４）の処理を実行するようにプログラムされたコントローラと
を有している。
（ａ１）ゲームの実行中において、前記プレイヤの操作により前記操作子が回動されたときに、前記操作子の傾き角度を検出すると共に、検出した前記傾き角度に基づいて前記履歴情報記憶部の前記履歴情報を更新し、
（ａ２）前記（ａ１）の処理によって前記履歴情報記憶部に記録された前記履歴情報が所定の警告条件を満たすか否かを判定し、
（ａ３）前記（ａ２）において、前記所定の警告条件を満たしている場合は、前記報知部によってプレイヤに警告を報知すると共に、前記警告数を更新し、
（ａ４）前記（ａ３）の処理によって前記警告数が所定値に達した場合、実行中の前記ゲームを無効化する。
【請求項２】
請求項１に記載のゲーム端末であって、
ＢＥＴの額を記憶するＢＥＴ額記憶部をさらに有し、
前記コントローラは、
前記ＢＥＴを条件として前記ゲームを実行すると共に、当該ＢＥＴの額を前記ＢＥＴ額記憶部に記憶し、
前記（ａ４）の処理において、実行中の前記ゲームを無効化した場合、該ゲームによる配当を無効化すると共に、該ゲームにＢＥＴした額を返還する。
【請求項３】
請求項１又は２に記載のゲーム端末であって、
前記傾き角度を記憶する初期設定角度記憶部と、
前記操作子の回動方向に配置され、前記操作子の可動範囲を制限する回動規制機構と
をさらに有し、
前記コントローラは、
（ａ５）所定のリセットタイミングで、前記操作子が前記回動規制機構に当接するときの傾き角度を前記傾き検出機構により検出すると共に、検出した該傾き角度を前記可動範囲を示す基準角度として前記初期設定角度記憶部に記憶する処理、及び、
（ａ６）前記基準角度に基づき、前記可動範囲を含むと共に前記可動範囲よりも広い範囲である設定範囲を示す警告設定角度を前記初期設定角度記憶部に記憶する処理
を実行するようにプログラムされ、
前記（ａ２）の処理において、前記履歴情報が、前記操作子の傾き角度が少なくとも前記設定範囲の範囲外となること、を示すことを前記所定の警告条件とする。
【請求項４】
請求項３に記載のゲーム端末であって、
前記コントローラは、
前記（ａ６）の処理において、前記可動範囲を含むと共に前記可動範囲よりも広い範囲である静的荷重用の設定範囲を示す第１設定角度を前記初期設定角度記憶部に記憶すると共に、前記静的荷重用の設定範囲を含むと共に前記静的荷重用の設定範囲よりも広い範囲である動的荷重用の設定範囲を示す第２設定角度を前記初期設定角度記憶部に記憶し、
前記（ａ２）の処理において、前記履歴情報が、以下（ｉ）〜（ｉｉｉ）の何れかを示すことを前記所定の警告条件とする。
（ｉ）前記操作子の傾き角度が、第１所定期間継続して、前記静的荷重用の設定範囲の範囲外となる。
（ｉｉ）前記操作子の傾き角度が、前記第１所定期間よりも短い第２所定期間に所定回数以上、前記動的荷重用の設定範囲の範囲外となる。
（ｉｉｉ）前記操作子の傾き角度が、前記第２所定期間継続して、前記動的荷重用の設定範囲の範囲外となる。
【請求項５】
請求項４に記載のゲーム端末であって、
多段階に設定された前記第２設定角度のうちの１を選択可能なスイッチを有している。
【請求項６】
請求項４又は５に記載のゲーム端末であって、
前記コントローラは、
前記（ａ２）の処理において、警告数を更新した後の区分期間内で、前記履歴情報が、前記（ｉ）〜（ｉｉｉ）の何れかを示すことを前記所定の警告条件とし、該所定の警告条件が区分期間内に満たされない場合は前記警告記憶部の前記警告数をリセットする。
【請求項７】
請求項６に記載のゲーム端末であって、
前記コントローラは、
前記（ａ２）の処理において、前記警告数を更新した後の前記区分期間の最初の一定期間は、前記所定の警告条件のうち前記（ｉｉ）及び（ｉｉｉ）に関する判定を行わない。
【請求項８】
請求項１乃至７の何れかに記載のゲーム端末であって、
前記操作子の一端部で当該操作子を回動可能に支持し、前記操作子の回動に対して負荷を発生可能にする負荷機構を備える支持機構を有し、
前記操作子は、当該操作子を振動可能な振動モータを内蔵し、
前記コントローラは、
前記ゲームとして、
第１のＢＥＴを条件とする単位ゲームが実行されるベースゲームと、
前記単位ゲームの終了後に開始され、前記支持機構による前記操作子の回動操作に基づいて実行され、前記負荷機構により前記操作子の回動に対して負荷を発生させるセカンドゲームと
を実行し、
前記（ａ４）の処理において、実行中の前記セカンドゲームを無効化した場合、前記セカンドゲームの配当を無効化し当該セカンドゲーム直前の単位ゲームにおける前記第１のＢＥＴのＢＥＴ額を返還すると共に、前記報知部による前記警告が行われている期間について前記負荷機構による負荷の発生と前記振動モータによる振動の発生とを停止する。
【発明の詳細な説明】
【技術分野】
【０００１】
本発明は、レバー式の操作子の傾き角度に応じて、所定の音声の出力及び／又は表示を行うゲーム端末に関する。
【背景技術】
【０００２】
従来のゲーム端末として、プレイヤによって傾けられることで、当該プレイヤの操作を受け付けるためのレバー式の操作子を備えたものが広く知られている。このような従来のゲーム端末は、例えば、特許文献１や特許文献２に開示されている。
【先行技術文献】
【特許文献】
【０００３】
【特許文献１】米国特許出願公開第２００６／０００９２８３号明細書
【特許文献２】米国特許第６７２２９７６号公報
【発明の概要】
【発明が解決しようとする課題】
【０００４】
上述したような、レバー式の操作子を備えたゲーム端末では、プレイヤがレバーを過度に傾けることで、操作子の支持機構等を破損させ、当該部分の耐久性を損ねていた。
【０００５】
本発明は、レバー式の操作子の支持機構等の破損を効果的に防止可能なゲーム端末、及び報知方法を提供することを目的とする。
【課題を解決するための手段】
【０００６】
本発明は、下記構成を備えるゲーム端末であって、プレイヤに報知する報知部と、一端部が回動可能に支持され、前記プレイヤの回動操作を受け付けるためのレバー式の操作子と、前記操作子の傾き角度を検出する傾き検出機構と、検出した前記傾き角度に基づく履歴情報を記憶する履歴情報記憶部と、警告数を記憶する警告記憶部と、以下（ａ１）〜（ａ４）の処理を実行するようにプログラムされたコントローラとを有している。
（ａ１）ゲームの実行中において、前記プレイヤの操作により前記操作子が回動されたときに、前記操作子の傾き角度を検出すると共に、検出した前記傾き角度に基づいて前記履歴情報記憶部の前記履歴情報を更新し、
（ａ２）前記（ａ１）の処理によって前記履歴情報記憶部に記録された前記履歴情報が所定の警告条件を満たすか否かを判定し、
（ａ３）前記（ａ２）において、前記所定の警告条件を満たしている場合は、前記報知部によってプレイヤに警告を報知すると共に、前記警告数を更新し、
（ａ４）前記（ａ３）の処理によって前記警告数が所定値に達した場合、実行中の前記ゲームを無効化する。
【０００７】
上記の構成によれば、検出された操作子の傾き角度に基づく履歴情報が記憶され、この履歴情報が所定の警告条件を満たす場合に警告が報知され、警告数が所定値に達した場合にゲームが無効化される。これにより、プレイヤによる操作子への各種の処理、例えば、過剰な操作に対して、ゲームを無効化することで、操作子等の破損を効果的に防止することができる。さらに、警告の報知が多段階で行われるため、プレイヤはその間に適切な操作を学習することができ、プレイヤが利益を損なう可能性を軽減することができる。
【０００８】
また、本発明のゲーム端末は、ＢＥＴの額を記憶するＢＥＴ額記憶部をさらに有し、前記コントローラは、前記ＢＥＴを条件として前記ゲームを実行すると共に、当該ＢＥＴの額を前記ＢＥＴ額記憶部に記憶し、前記（ａ４）の処理において、実行中の前記ゲームを無効化した場合、該ゲームによる配当を無効化すると共に、該ゲームにＢＥＴした額を返還する。
【０００９】
上記構成によれば、ゲームが無効化されたばあいであっても、ＢＥＴした額がプレイヤに返還されるため、プレイヤへの損失を防止することができる。これにより、プレイヤのゲーム継続意欲の低下を軽減することができる。
【００１０】
また、本発明のゲーム端末は、前記傾き角度を記憶する初期設定角度記憶部と、前記操作子の回動方向に配置され、前記操作子の可動範囲を制限する回動規制機構とをさらに有し、前記コントローラは、（ａ５）所定のリセットタイミングで、前記操作子が前記回動規制機構に当接するときの傾き角度を前記傾き検出機構により検出すると共に、検出した該傾き角度を前記可動範囲を示す基準角度として前記初期設定角度記憶部に記憶する処理、及び、（ａ６）前記基準角度に基づき、前記可動範囲を含むと共に前記可動範囲よりも広い範囲である設定範囲を示す警告設定角度を前記初期設定角度記憶部に記憶する処理を実行するようにプログラムされ、前記（ａ２）の処理において、前記履歴情報が、前記操作子の傾き角度が少なくとも前記設定範囲の範囲外となること、を示すことを前記所定の警告条件とする。
【００１１】
上記構成によれば、回動規制機構との当接位置が基準となり、警告の基準となる設定角度が設定される。これにより、ゲーム端末に個体差がある場合であっても、ゲーム端末の状態に応じた最適な可動範囲を設定することができる。
【００１２】
また、本発明のゲーム端末の前記コントローラは、前記（ａ６）の処理において、前記可動範囲を含むと共に前記可動範囲よりも広い範囲である静的荷重用の設定範囲を示す第１設定角度を前記初期設定角度記憶部に記憶すると共に、前記静的荷重用の設定範囲を含むと共に前記静的荷重用の設定範囲よりも広い範囲である動的荷重用の設定範囲を示す第２設定角度を前記初期設定角度記憶部に記憶し、前記（ａ２）の処理において、前記履歴情報が、以下（ｉ）〜（ｉｉｉ）の何れかを示すことを前記所定の警告条件とする。
（ｉ）前記操作子の傾き角度が、第１所定期間継続して、前記静的荷重用の設定範囲の範囲外となる。
（ｉｉ）前記操作子の傾き角度が、前記第１所定期間よりも短い第２所定期間に所定回数以上、前記動的荷重用の設定範囲の範囲外となる。
（ｉｉｉ）前記操作子の傾き角度が、前記第２所定期間継続して、前記動的荷重用の設定範囲の範囲外となる。
【００１３】
上記構成によれば、警告を行うための角度として、夫々示す範囲が異なる第１設定角度と第２設定角度とを設定（初期設定角度記憶部に記憶）するようになっている。そして、夫々を静的荷重用と動的荷重用との警告の判定に用いるため、より適切に破損を防止することができる。
【００１４】
また、本発明のゲーム端末は、多段階に設定された前記第２設定角度のうちの１を選択可能なスイッチを有している。
【００１５】
上記構成によれば、第２設定角度が多段階に設定可能であるため、ゲーム端末に応じた適切な設定を行うことが可能である。
【００１６】
また、本発明のゲーム端末の前記コントローラは、前記（ａ２）の処理において、警告数を更新した後の区分期間内で、前記履歴情報が、前記（ｉ）〜（ｉｉｉ）の何れかを示すことを前記所定の警告条件とし、該所定の警告条件が区分期間内に満たされない場合は前記警告記憶部の前記警告数をリセットする。
【００１７】
上記構成によれば、警告条件の判定について、区分期間毎で区切ることで警告リセット機会を増加させる。これにより、より悪質なレバー操作を行うプレイヤについて警告数を累積させることができる。
【００１８】
また、本発明のゲーム端末の前記コントローラは、前記（ａ２）の処理において、前記警告数を更新した後の前記区分期間の最初の一定期間は、前記所定の警告条件のうち前記（ｉｉ）及び（ｉｉｉ）に関する判定を行わない。
【００１９】
上記構成によれば、区分期間毎に一定期間の無判定期間を設けることで、悪質でない偶然性の高い警告を回避できる可能性を向上させる。
【００２０】
また、本発明のゲーム端末は、前記操作子の一端部で当該操作子を回動可能に支持し、前記操作子の回動に対して負荷を発生可能にする負荷機構を備える支持機構を有し、前記操作子は、当該操作子を振動可能な振動モータを内蔵し、前記コントローラは、前記ゲームとして、第１のＢＥＴを条件とする単位ゲームが実行されるベースゲームと、前記単位ゲームの終了後に開始され、前記支持機構による前記操作子の回動操作に基づいて実行され、前記負荷機構により前記操作子の回動に対して負荷を発生させるセカンドゲームとを実行し、前記（ａ４）の処理において、実行中の前記セカンドゲームを無効化した場合、前記セカンドゲームの配当を無効化し当該セカンドゲーム直前の単位ゲームにおける前記第１のＢＥＴのＢＥＴ額を返還すると共に、前記報知部による前記警告が行われている期間について前記負荷機構による負荷の発生と前記振動モータによる振動の発生とを停止する。
【発明の効果】
【００２１】
本発明は、レバー式の操作子の支持機構等の破損を効果的に防止可能なゲーム端末を提供することができる。
【図面の簡単な説明】
【００２２】
【図１】ゲーミングマシンの概要を示す説明図である。
【図２】レバーの初期設定の状態を示す説明図である。
【図３】初期設定された角度と、警告範囲との関係を示す説明図である。
【図４】演算値設定テーブルの説明図である。
【図５】第１警告条件テーブルの説明図である。
【図６】第２警告条件テーブルの説明図である。
【図７】ゲーム端末のブロック図である。
【図８】センターコントローラのブロック図である。
【図９】警告画面の説明図である。
【図１０】警告画面の説明図である。
【図１１】警告画面の説明図である。
【図１２】警告画面の説明図である。
【図１３】警告画面の説明図である。
【図１４】警告画面の説明図である。
【図１５】警告画面の説明図である。
【図１６】警告画面の説明図である。
【図１７】警告画面の説明図である。
【図１８】ゲーミングマシンの内部接続構成を示す説明図である。
【図１９】ゲーミングマシンの全体を示す正面図である。
【図２０】ゲーム端末を示す斜視図である。
【図２１】コントロールレバー装置を示す概略図である。
【図２２】コントロールレバー装置を示す一部分解斜視図である。
【図２３】コントロールレバー装置を右斜め前方から見た斜視図である。
【図２４】カバーを外した状態でコントロールレバー装置を左斜め後方から見た斜視図である。
【図２５】コントロールレバー装置を下方から見た斜視図である
【図２６】端末コントローラの制御回路を示すブロック図である。
【図２７】センターコントローラの制御回路を示すブロック図である。
【図２８】通常ゲームの表示画面の一例を示す説明図である。
【図２９】通常ゲーム用シンボルテーブルの説明図である。
【図３０】通常ゲーム用参加資格時間付与テーブルの説明図である。
【図３１】共通ゲーム参加資格時間管理テーブルの説明図である。
【図３２】資格時間上限テーブルの説明図である。
【図３３】累積計算テーブルの説明図である。
【図３４】通常ゲームの表示画面の一例を示す説明図である。
【図３５】端末画像表示パネル及び上部ディスプレイの表示態様を示す説明図である。
【図３６】単独特別ゲーム用参加資格時間付与テーブルの説明図である。
【図３７】単独特別ゲーム中の上部ディスプレイの表示態様を示す説明図である。
【図３８】ボーナス種別テーブルの説明図である。
【図３９】単独特別ゲーム用確率テーブルの説明図である。
【図４０】単独特別ゲームの表示画面の一例を示す説明図である。
【図４１】ミステリーボーナス開始抽籤テーブルを示す説明図である。
【図４２】ミステリーボーナス用確率テーブルを示す説明図である。
【図４３】ミステリーボーナスの表示画面の一例を示す説明図である。
【図４４】共通ゲーム開始抽籤テーブルの説明図である。
【図４５】共通ゲーム種別抽籤テーブルの説明図である。
【図４６】共通ゲーム開始用演出映像の一例を示す説明図である。
【図４７】第１共通ゲームの表示画面の一例を示す説明図である。
【図４８】第１共通ゲームの表示画面の一例を示す説明図である。
【図４９】第１共通ゲーム用確率テーブルの説明図である。
【図５０】第２共通ゲームの表示画面の一例を示す説明図である。
【図５１】第２共通ゲームの表示画面の一例を示す説明図である。
【図５２】第３共通ゲームの表示画面の一例を示す説明図である。
【図５３】第３共通ゲームの表示画面の一例を示す説明図である。
【図５４】第３共通ゲーム用確率テーブルの説明図である。
【図５５】変動パターンテーブルの説明図である。
【図５６】表示パターンテーブルの説明図である。
【図５７】起動処理のフローチャートである。
【図５８】イニシャル処理のフローチャートである。
【図５９】端末側ベースゲーム処理のフローチャートである。
【図６０】端末側ボーナスゲーム処理のフローチャートである。
【図６１】端末側共通ゲーム処理のフローチャートである。
【図６２】共通ゲーム抽籤処理のフローチャートである。
【図６３】処理設定処理のフローチャートである。
【図６４】修正設定処理のフローチャートである。
【図６５】警告レベル設定処理のフローチャートである。
【図６６】警告処理のフローチャートである。
【図６７】通常ゲーム用参加資格時間付与テーブルの変形例を示す説明図である。
【図６８】ランキングの表示画面の一例を示す説明図である。
【発明を実施するための最良の形態】
【００２３】
以下、本発明の実施形態について、図面に基づいて説明する。
【００２４】
（ゲーミングマシンの概要）
ゲーミングマシンは、ゲーム端末の複数台をデータ通信可能にセンターコントローラに接続し、各ゲーム端末において独立してシンボル列を用いる単位ゲームを行い、各ゲーム端末が同期して共通ゲーム（セカンドゲーム）を行う構成にされている。
【００２５】
具体的に、図１、図７、及び、図８に示すように、本実施形態のゲーミングマシン３００は、複数人参加型の構成にされており、並列に配置された複数台のゲーム端末１０をデータ通信可能にセンターコントローラ２００に接続する。そして、ゲーミングマシン３００は、スロットゲーム等のベースゲームを各ゲーム端末１０において独立して個別に実行可能な構成にされている。そして、ベースゲームで繰り返される単位ゲームにおいては、ゲーム端末１０の端末ディスプレイ６１４（端末画像表示パネル１６）においてシンボル５０１が再配置される。
【００２６】
（ゲーミングマシン３００の機能ブロック：ゲーム端末１０）
このようなゲーミングマシン３００は、図７に示すように、ゲーム端末１０と、ゲーム端末１０にデータ通信可能に接続された外部制御装置６２１（センターコントローラ２００等）とを有している。外部制御装置６２１は、並列に配置された複数のゲーム端末１０にデータ通信可能に接続されている。
【００２７】
ゲーム端末１０は、図１にも示すように、操作子であるレバー６１００への回動操作に応じて、ゲームの実行を無効化するように構成されている。具体的に説明すると、ゲーム端末１０は、プレイヤに報知する報知部（端末ディスプレイ、スピーカ６１７等）と、一端部が回動可能に支持され、プレイヤの回動操作を受け付けるためのレバー式の操作子であるレバー６１００と、操作子の傾き角度を検出する傾き検出機構６００ａと、検出した傾き角度に基づく履歴情報を記憶する履歴情報記憶部６２２と、警告数を記憶する警告記憶部６２３と、端末コントローラ６３０とを有している。
【００２８】
尚、図２に示すように、レバー６１００は、一端部が支持機構６２００により支持されており、回動モータ６２０２により回動可能にされている。尚、支持機構６２００は、レバー６１００を回動モータ６２０２により自動で回動させるモードと、レバー６１００に回動モータ６２０２の負荷をかけながらプレイヤにより手動で回動させるモードとを切り替え可能に実行する。
【００２９】
ここで、履歴情報は、検出した傾き角度を示す情報に限定されない。例えば、履歴情報は、所定の角度を継続して越えていた時間を示す情報であってもよいし、所定の角度を越えた回数を示す情報であってもよい。また、これらに関連した時刻情報が履歴情報に付加されていてもよい。さらに、履歴情報は、一定の時間毎にリセットされるものであってもよい。
【００３０】
端末コントローラ６３０は、（ａ１）〜（ａ４）の処理を実行するようにプログラムされている。処理（ａ１）は、ゲームの実行中において、プレイヤの操作によりレバー６１００が回動されたときに、レバー６１００の傾き角度を検出すると共に、検出した傾き角度に基づいて履歴情報記憶部６２２の履歴情報を更新する。処理（ａ２）は、（ａ１）の処理によって履歴情報記憶部６２２に記録された履歴情報が所定の警告条件を満たすか否かを判定する。処理（ａ３）は、前記（ａ２）において、所定の警告条件を満たしている場合は、報知部によってプレイヤに警告を報知すると共に、警告数を更新する。処理（ａ４）は、（ａ３）の処理によって警告数が所定値に達した場合、実行中のゲームを無効化する。
【００３１】
尚、本実施形態では、ベースゲーム、及び、共通ゲーム（セカンドゲーム）の実行中において、処理（ａ１）を実行するがこれに限定されない。例えば、何れかのゲームにおいてのみ処理（ａ１）を実行するものであってもよい。また、警告の対象となるゲーム（本実施形態では、ベースゲーム、及び、セカンドゲーム）と、無効化の対象となるゲーム（本実施形態では、セカンドゲーム）とが、一致することに限定されない。
【００３２】
また、警告は、ゲーム端末１０で行われることに限定されない。例えば、警告が、上部ディスプレイ７００等の外部装置で行われる場合には、端末コントローラ６３０が外部装置を制御する制御装置等へ信号を出力する。即ち、ゲーム端末１０において、信号を出力する処理を実行する装置が報知部となる。尚、本実施形態では、ベースゲームにおける警告の報知についてはゲーム端末１０で行い、共通ゲームにおけるベースゲームにおける警告の報知についてはゲーム端末１０、及び、上部ディスプレイ７００にて行う。上部ディスプレイ７００にて警告を報知する場合は、外部制御装置６２１（センターコントローラ２００等）に、警告報知のための制御信号を出力する。しかしながら、これらに限定されることはない。
【００３３】
また、本実施形態では、実行中の共通ゲームのみを無効化するがこれに限定されない。例えば、実行中のベースゲームを無効化するものであってもよいし、これら両方を無効化するものであってもよい。また、操作子への操作が許容されるゲームのみ無効化するものであってもよい。
【００３４】
また、本実施形態において、「ゲームの無効化」とは、共通ゲームで得られるはずであった配当を無効にすると共に、その共通ゲームを開始する直前に行った単位ゲーム（ベースゲーム）へのＢＥＴのＢＥＴ額を返還するものであるがこれに限定されない。例えば、共通ゲームがＢＥＴを条件として参加可能である場合、共通ゲームで行ったＢＥＴのＢＥＴ額を返還するものであってもよい。尚、返還とはプレイヤにＢＥＴ額相当が返還されればよく、ゲーム端末１０のクレジットにＢＥＴ額が加算されるものであってもよいし、メダル、トークン、電子マネー、チケット等の遊技媒体としてＢＥＴ額が払い出されるものであってもよい。
【００３５】
上記の構成によれば、検出されたレバー６１００の傾き角度に基づく履歴情報が記憶され、この履歴情報が所定の警告条件を満たす場合に警告が報知され、警告数が所定値に達した場合にゲームが無効化される。これにより、プレイヤによるレバー６１００への各種の処理、例えば、過剰な操作に対して、ゲームを無効化することで、レバー６１００やこれを含むコントロールレバー装置６００の破損を効果的に防止することができる。さらに、警告の報知が多段階で行われるため、プレイヤはその間に適切な操作を学習することができ、プレイヤが利益を損なう可能性を軽減することができる。
【００３６】
さらに、ゲーム端末１０は、ＢＥＴの額を記憶するＢＥＴ額記憶部６２４を有し、端末コントローラ６３０は、ＢＥＴを条件としてゲームを実行すると共に、当該ＢＥＴの額をＢＥＴ額記憶部６２４に記憶すると共に、（ａ４）の処理において、実行中の前記ゲームを無効化した場合、該ゲームによる配当を無効化すると共に、該ゲームにＢＥＴした額を返還する。
【００３７】
上記構成によれば、ゲームが無効化されたばあいであっても、ＢＥＴした額がプレイヤに返還されるため、プレイヤへの損失を防止することができる。これにより、プレイヤのゲーム継続意欲の低下を軽減することができる。
【００３８】
さらに、ゲーム端末１０は、下記のように構成されている。即ち、ゲーム端末１０は、検出した傾き角度を記憶する初期設定角度記憶部６２５と、レバー６１００の回動方向に配置され、レバー６１００の可動範囲を制限する規制部材６４０２（回動規制機構）とを有している。
【００３９】
そして、端末コントローラ６３０は、（ａ５）及び（ａ６）の処理を実行するようにプログラムされている。処理（ａ５）は、所定のリセットタイミングで、レバー６１００が規制部材６４０２に当接するときの傾き角度を傾き検出機構６００ａにより検出すると共に、検出した該傾き角度を、レバー６１００の可動範囲を示す基準角度として初期設定角度記憶部６２５に記憶する。処理（ａ６）は、記憶した基準角度に基づき、上記の可動範囲を含むと共にこの可動範囲よりも広い範囲である設定範囲を示す設定角度を初期設定角度記憶部６２５に記憶する。
【００４０】
さらに、端末コントローラ６３０は、上記（ａ２）の処理において、履歴情報が以下を示すことを所定の警告条件とする。即ち、所定の警告条件は、レバー６１００の傾き角度が、少なくとも設定範囲の範囲外となることである。
【００４１】
上記構成によれば、規制部材６４０２との当接位置が基準となり、警告の基準となる設定角度が設定される。これにより、ゲーム端末１０に個体差がある場合であっても、ゲーム端末の状態に応じた最適な可動範囲を設定することができる。
【００４２】
具体的に、図２に示すように、本実施形態において、可動範囲（基準範囲）を示す基準角度の初期設定は、レバー６１００を規制部材６４０２ｂ・６４０２ａに当接させることで行っている。レバー６１００を後方（筐体側）に回動させたときに、後方に配置された規制部材６４０２ｂにレバー６１００を当接させる。このときに検出した傾き角度が、基準角度（上限基準傾き角度）として設定角度記憶部６２５に記憶される。一方、レバー６１００を前方（プレイヤ側）に回動させたときに、前方に配置された規制部材６４０２ａにレバー６１００を当接させる。このときに検出した傾き角度が、基準角度（下限基準傾き角度）として設定角度記憶部６２５に記憶される。
【００４３】
尚、初期設定における上記当接の動作は、工場出荷時や遊技場において、レバー６１００を回動モータ６２０２により自動で回動させてもよいし、負荷をかけずに手動で回動させてもよい。また、基準角度の初期設定は、レバー６１００を規制部材６４０２ｂ・６４０２ａに実際に当接させて行われることに限定されるものではない。例えば、レバー６１００が規制部材６４０２ｂ・６４０２ａに当接する直前にまで回動したときのレバー位置を検知するフォトセンサーを設け、フォトセンサーの検知信号が得られたときを当接したときとみなし、その傾き角度を基準角度とするものであってもよい。具体的には、図２４に示すように、規制部材６４０２ｂの近傍に、フォトセンサー６４１０を設けると共に、フォトセンサー６４１０の発光部及び受光部間を横切るセンサー板６４１１をレバー６１００に固定し、レバー６１００の回動に連動してセンサー板６４１１が上下動するように構成されていてもよい。
【００４４】
そして、上記のように決定された基準角度に基づいて、設定範囲を示す設定角度が決定され、初期設定角度記憶部６２５に記憶される。尚、設定角度と基準傾き角度との差は予め定められている。即ち、レバー６１００を規制部材６４０２に当接させた状態から、この規制部材６４０２方向へ負荷を掛けた場合の移動角度が予め計測され、その計測に基づいて設定角度が設定される。
【００４５】
さらに、ゲーム端末１０は、下記のように構成されている。即ち、ゲーム端末１０の端末コントローラ６３０は、上記（ａ６）の処理において、可動範囲を含むと共に可動範囲よりも広い範囲である静的荷重用の設定範囲を示す第１設定角度を初期設定角度記憶部６２５に記憶すると共に、静的荷重用の設定範囲を含むと共に静的荷重用の設定範囲よりも広い範囲である動的荷重用の設定範囲を示す第２設定角度を前記初期設定角度記憶部６２５に記憶する。
【００４６】
そして、端末コントローラ６３０は、さらに、上記（ａ２）の処理において、履歴情報が、以下（ｉ）〜（ｉｉｉ）の何れかを示すことを所定の警告条件とする。即ち、（ｉ）の条件は、レバー６１００の傾き角度が、第１所定期間継続して、静的荷重用の設定範囲の範囲外（第１警告範囲）となることである。（ｉｉ）の条件は、レバー６１００の傾き角度が、第１所定期間よりも短い第２所定期間に所定回数以上、動的荷重用の設定範囲の範囲外（第２警告範囲）となることである。（ｉｉｉ）の条件は、レバー６１００の傾き角度が、第２所定期間継続して、動的荷重用の設定範囲の範囲外（第２警告範囲）となることである。
【００４７】
上記構成によれば、警告を行うための角度として、夫々示す範囲が異なる第１設定角度と第２設定角度とを設定（初期設定角度記憶部６２５に記憶）するようになっている。そして、夫々を静的荷重用と動的荷重用との警告の判定に用いるため、より適切に破損を防止することができる。
【００４８】
具体的に、図３は、初期設定された角度（基準角度、第１設定角度、第２設定角度）と、警告範囲との関係を示す説明図である。図３に示すように、検出範囲として、例えば“１”〜“１０００”の分解能で傾き角度が検出可能となっている。尚、ここでの傾き角度は、回動されるレバー６１００の各位置における磁力検出値を整数値に置き換えたものである。尚、傾き角度の検出の分解能は、検出範囲欄の最大値を変更することで容易に変更可能である。例えば、検出範囲欄の最大値である“１０００”を“５０”に変更すれば、“１”〜“５０”の分解能で傾き角度を検出することができる。
【００４９】
また、可動範囲（基準範囲）としては、基準角度“９５”及び“５５５”で示される範囲が設定される。この基準角度に基づいて、第１設定角度“６５”及び“５９５”で示される静的荷重設定範囲が設定されている。具体的に、第１設定角度の上限（上限第１設定角度）は、上限基準角度から演算値“３０”が加算されて算出され、第１設定角度の下限（下限第１設定角度）は、上限基準角度から演算値“３０”が減算されて算出される。この演算値（第１設定角度演算値）は限定されないが、規制部材６４０２に当接したレバー６１００に対して、規制部材６４０２が配置された方向に継続的な荷重（例えば７．０ｋｇ）をかけたときの回動角度（例えば、２．６度）を予め計測し、この角度に対応する演算値が設定されるものであってもよい。
【００５０】
このように設定された第１設定角度は、継続的な過剰な負荷がレバーにかかることを検知する判定基準となる。即ち、第１所定期間（例えば５秒）に、継続して第１設定角度で示される静的荷重設定範囲の範囲外（第１警告範囲）となる場合（条件（ｉ））に警告を報知することができる。
【００５１】
また、この基準角度に基づいて、第２設定角度“５０”及び“６００”で示される動的荷重設定範囲が設定される。具体的に、第２設定角度の上限（上限第２設定角度）は、上限基準角度から演算値“４５”が加算されて算出され、第２設定角度の下限（下限第２設定角度）は、上限基準角度から演算値“４５”が減算されて算出される。この値（第２設定角度演算値）は限定されないが、規制部材６４０２に当接したレバー６１００に対して、規制部材６４０２が配置された方向に継続的な上記よりも強い荷重（例えば１２．６ｋｇ、１６．０ｋｇ、２０．４ｋｇ）をかけたときの回動角度（例えば、３．５度、４度、４．４度）を予め計測し、この角度に対応する演算値が設定されるものであってもよい。
【００５２】
このように設定された第２設定角度は、瞬間的な過剰な負荷がレバーにかかることを検知する判定基準となる。即ち、第１所定期間よりも短い第２所定期間（例えば２秒間）に継続して第２設定角度で示される動的荷重設定範囲の範囲外（第２警告範囲）となる場合（条件（ｉｉ））、又は、第２所定期間の間に所定回数以上第２設定角度で示される動的荷重設定範囲の範囲外（第２警告範囲）となる場合（条件（ｉｉｉ））、に警告を報知することができる。
【００５３】
尚、上記のような演算値の計測は、複数回連続で計測して、中央の値を採用することが望ましい。処理ステップを軽減する観点から３回連続で計測することがより望ましい。
【００５４】
さらに、ゲーム端末１０は、多段階に設定された第２設定角度のうちの１を選択可能なスイッチを有している。
【００５５】
上記構成によれば、第２設定角度が多段階に設定可能であるため、ゲーム端末１０に応じた適切な設定を行うことが可能である。
【００５６】
具体的に、基準角度から第１設定角度及び第２設定角度を算出するための計測値は、図４に示すように演算値設定テーブルに格納されている。尚、本実施形態において、演算値設定テーブルは、ゲーム端末１０に内蔵された図示しないディップスイッチ（Dual In-line Package switch：DIP switch）に構成されるものであるがこれに限定されない。
【００５７】
ディップスイッチは、ＯＮ／ＯＦＦに切り替え可能なスイッチを少なくとも２つ（ＤＩＰ１、ＤＩＰ２）有している。演算値設定テーブルには、それらのスイッチの組み合わせによって、第１設定角度演算値、及び、第２設定角度演算値の組み合わせが設定可能にされている。例えば、ＤＩＰ１を“ＯＦＦ”とし、ＤＩＰ２を“ＯＦＦ”とした場合は、第１設定角度演算値が“３０”、第２設定角度演算値が“４０”の組み合わせとなる。また、ＤＩＰ１を“ＯＮ”とし、ＤＩＰ２を“ＯＦＦ”とした場合は、第１設定角度演算値が“３０”、第２設定角度演算値が“４５”の組み合わせとなる。また、ＤＩＰ１を“ＯＦＦ”とし、ＤＩＰ２を“ＯＮ”とした場合は、第１設定角度演算値が“３０”、第２設定角度演算値が“５０”の組み合わせとなる。このように、本実施形態では、第２設定角度演算値が多段階に設定され、これら第２設定角度のうちの１が選択可能にされている。尚、これに限定されず、第１設定角度演算値についても変更可能にされていてもよい。
【００５８】
尚、本実施形態において、上記ディップスイッチのＤＩＰ１及びＤＩＰ２を何れも“ＯＮ”とした場合、基準角度記憶モードとなり、レバー６１００を規制部材６４０２に当接した際に検出した角度を基準角度として記憶することが可能となっている。
【００５９】
さらに、ゲーム端末１０は、端末コントローラ６３０が、上記（ａ２）の処理において、警告数を更新した後の区分期間（例えば１０秒）内で、履歴情報が、前記（ｉ）〜（ｉｉｉ）の何れかを示すことを所定の警告条件とし、該所定の警告条件が区分期間内に満たされない場合は警告記憶部６２３の警告数をリセットする。
【００６０】
上記構成によれば、警告条件の判定について、区分期間毎で区切ることで警告リセット機会を増加させる。これにより、より悪質なレバー操作を行うプレイヤについて警告数を累積させることができる。
【００６１】
さらに、ゲーム端末１０は、端末コントローラ６３０が、上記（ａ２）の処理において、警告数を更新した後の区分期間の最初の一定期間は、所定の警告条件のうち前記（ｉｉ）及び（ｉｉｉ）に関する判定を行わない。
【００６２】
上記構成によれば、区分期間毎に一定期間の無判定期間を設けることで、悪質でない偶然性の高い警告を回避できる可能性を向上させる。
【００６３】
具体的に、図５及び図６を参照して、警告の報知を行う所定の警告条件について説明する。尚、本実施形態では、警告数が警告レベルに対応しており、警告が報知される度に警告数が１インクリメントされると共に、警告レベルが上がる（警告レベルアップ）ようになっている。
【００６４】
図５及び図６に示すように、第１警告条件テーブル及び第２警告条件テーブルは、警告レベルアップ条件としての状態欄及び条件欄と、区分期間欄と、移行後状態欄とを有している。状態欄には、警告がレベルアップするするためのレバー６１００の傾き角度の状態が格納される。条件欄には、状態欄と共に満たすことが必要な条件が格納される。区分期間欄には、警告レベルアップ条件を満たすための制限時間が格納される。また、移行後状態欄には、警告レベルアップ条件が満たされた場合にどのような状態になるかが格納される。
【００６５】
図５に示すように、例えば、まだ警告がなされていない、若しくは、警告のリセットが行われた後である場合、警告レベルは“０”である。警告レベルが“０”である場合に、傾き角度が第１警告範囲内である状態が５秒間継続した場合、警告レベルが“１”にレベルアップする。その後、１０秒間の区分期間のうち、傾き角度が第１警告範囲内である状態が５秒間継続した場合、警告レベルが“２”にレベルアップする。また、例えば、第１警告範囲内の状態が５秒間継続せずに、区分期間が終了する場合、レベルアップすることなく、警告レベルはリセットされるようになっている。
【００６６】
図６に示すように、例えば、まだ警告がなされていない、若しくは、警告のリセットが行われた後である場合、警告レベルは“０”である。警告レベルが“０”である場合に、傾き角度が第２警告範囲内である状態が２秒間継続した場合、警告レベルが“１”にレベルアップする。また、２秒間の間に、傾き角度が２回以上第２警告範囲内となった場合、警告レベルが“１”にレベルアップする。その後、１０秒間の区分期間のうち、傾き角度が第２警告範囲内である状態が２秒間継続した場合、警告レベルが上位レベル（例えば、レベル１からレベル２）にレベルアップする。また、１０秒間の区分期間のうちの２秒間の間に、傾き角度が２回以上第２警告範囲内となった場合、警告レベルが上位レベルにレベルアップする。但し、区分期間のうち最初の３秒間は、第２警告条件の判定を行わない。即ち、その後の７秒の区分期間において、傾き角度が第２警告範囲内である状態が２秒間継続した場合、又は、２秒間の間に傾き角度が２回以上第２警告範囲内となった場合に、警告のレベルアップが行われる。
【００６７】
尚、上述のように、警告数の更新（警告のレベルアップ）と共に警告の報知が行われる。本実施形態において、警告の報知内容は、警告レベル、及び、実行するゲーム（ベースゲーム、セカンドゲーム）によっても変更される。
【００６８】
セカンドゲームが実行されるときに、端末画像表示パネル１６に表示される端末警告画像６５０を図９〜図１３に示す。また、ベースゲームが実行されるときに、端末画像表示パネル１６に表示される端末警告画像６５０を図１４〜図１７に示す。
【００６９】
具体的に、図９は、セカンドゲームにおいて警告レベルが“１”になったときに報知される端末警告画像６５０ａである。図１０は、セカンドゲームにおいて警告レベルが“２”になったときに報知される端末警告画像６５０ｂである。図１１は、セカンドゲームにおいて警告レベルが“３”になったときに報知される端末警告画像６５０ｃである。図１２は、セカンドゲームにおいて警告レベルが“４”になったときに報知される端末警告画像６５０ｄである。図１３は、セカンドゲームが無効にされたときに報知される端末警告画像６５０ｅである。
【００７０】
また、図１４は、ベースゲームにおいて警告レベルが“１”になったときに報知される端末警告画像６５０ｆである。図１５は、ベースゲームにおいて警告レベルが“２”になったときに報知される端末警告画像６５０ｇである。図１６は、ベースゲームにおいて警告レベルが“３”になったときに報知される端末警告画像６５０ｈである。図１７は、ベースゲームにおいて警告レベルが“４”になったときに報知される端末警告画像６５０ｉである。
【００７１】
上記のように構成されたゲーム端末１０について、詳細に説明する。ゲーム端末１０は、ＢＥＴボタン部６０１とスピンボタン部６０２とコントロールレバー装置６００と端末ディスプレイ６１４とを有していると共に、これらの各部を制御する端末コントローラ６３０を有している。尚、ＢＥＴボタン部６０１とスピンボタン部６０２とコントロールレバー装置６００とは、インプットデバイスの一種である。さらに、ゲーム端末１０は、外部制御装置６２１とのデータ通信を可能にする送受信部６５２を有している。
【００７２】
上記のＢＥＴボタン部６０１は、プレイヤの操作によりベット額を受け付ける機能を有している。スピンボタン部６０２とコントロールレバー装置６００とは、プレイヤの操作、即ち、スタート操作によりベースゲーム等のゲームの開始を受け付ける機能を有している。端末ディスプレイ６１４は、各種のシンボル５０１や数値、記号等の静止画情報及び演出映像等の動画情報を表示する機能を有している。
【００７３】
また、レバー６１００は、上述のように外部からの入力操作が可能であるとともに、端末コントローラ６３０により複数の変動パターンに変動可能に制御される。具体的に、コントロールレバー装置６００は、図２１に示すように、プレイヤが把持可能なレバー６１００、レバー６１００内部に設けられ、レバーを振動させる第１モータ６１０１、及び、レバー６１００の上部に設けられる発光装置６１０２を有している。レバー６１００の変動パターンは、図示しない記憶装置に変動パターンを識別する識別情報と対応付けられて記憶されている。
【００７４】
また、コントロールレバー装置６００は、レバー６１００を回動可能に支持するための支持機構６２００を備えている。支持機構６２００は、レバー６１００を回動可能にゲーム端末１０に固定している。図２に示すように、支持機構６２００は、レバー６１００を前後方向の回動方向へ付勢する回動モータ６２０２と、レバー６１００の傾きを規制するための規制部材６４０２と、傾き検出機構６００ａとを有している。規制部材６４０２は、レバー６１００が所定の角度を超えて前方（プレイヤ側）や後方（筐体側）に傾いたときにレバー６１００が当接する位置に配置されている。傾き検出機構６００ａは、レバー６１００の傾き角度でもある傾き角度を検出する。規制部材６４０２及び傾き検出機構６００ａの詳細については後述する。
【００７５】
端末コントローラ６３０は、コイン投入・スタートチェック部６０３と、ゲーム実行部６０５と、乱数値抽出部６１５と、シンボル決定部６１２と、演出用乱数値抽出部６１６と、演出内容決定部６１３と、スピーカ部６１７と、ランプ部６１８と、入賞判定部６１９と、払い出し部６２０とを有している。
【００７６】
コイン投入・スタートチェック部６０３は、ＢＥＴボタン部６０１、スピンボタン部６０２、及び、コントロールレバー装置６００から出力される信号、センターコントローラ２００からの信号等に基づいて、通常ゲーム、ボーナスゲーム、及び、共通ゲーム等の何れを開始させるかを振り分け、各ゲームが開始可能であるかの判定を行う。
【００７７】
ゲーム実行部６０５は、ＢＥＴボタン部６０１の操作を条件として通常ゲームを実行する機能を有している。また、ゲーム実行部６０５は、通常ゲームにおいて再配置されたシンボル５０１の組合せに基づいて端末ボーナスゲームを実行するか否かを判定する。また、
【００７８】
また、ゲーム実行部６０５は、傾き検出機構６００ａによって検出されたレバー６１００の傾き角度を取得する。ゲーム実行部６０５は、演出内容決定部６１３を介して、プレイヤに対する警告を行う。警告は、所定の音声（警告音声）の出力及び又は所定の表示をスピーカ６１７、端末ディスプレイ６１４、送受信部６５２を用いて行う。
【００７９】
さらに、ゲーム実行部６０５は、ベースゲームの処理内容を送受信部６５２を介してセンターコントローラ２００へ出力する機能を有している。即ち、ゲーム実行部６０５は、センターコントローラ２００へ実行状態情報を出力する。
【００８０】
また、ゲーム実行部６０５は、センターコントローラ２００からのゲーム開始指令に基づいて共通ゲーム（セカンドゲーム）を実行する機能を有している。
【００８１】
シンボル決定部６１２は、乱数値抽出部６１５からの乱数値を用いて、再配置の対象となるシンボル５０１を決定する機能と、決定したシンボル５０１を端末ディスプレイ６１４のシンボル表示領域６１４ａに再配置する機能と、シンボル５０１の再配置情報を入賞判定部６１９に出力する機能と、を有している。
【００８２】
より具体的に、シンボル決定部６１２は、ゲーム（ベースゲーム、又は、共通ゲーム）に応じてシンボル列画像５００を選択する機能と、選択したシンボル列画像５００を端末ディスプレイ６１４においてスクロール表示させる機能と、決定したシンボル５０１が再配置されるようにスクロール表示を停止させる機能と、を有している。
【００８３】
演出用乱数値抽出部６１６は、シンボル決定部６１２から演出指令信号を受けた場合に、演出用乱数値を抽出する機能と、演出用乱数値を演出内容決定部に出力する機能とを有している。演出内容決定部は、演出用乱数値を用いて演出内容を決定する機能と、決定した演出内容の映像情報を端末ディスプレイ６１４の映像表示領域６１４ｂに出力する機能と、決定した演出内容の音声・発光情報をスピーカ部６１７及びランプ部６１８に出力する機能とを有している。
【００８４】
入賞判定部６１９は、端末ディスプレイ６１４において再配置された表示状態であるシンボル５０１の再配置情報が得られた場合に、入賞の有無を判定する機能と、入賞したと判定したときに入賞役に基づいて払い出し量を算出する機能と、払い出し量に基づいた払い出し信号を払い出し部６２０に出力する機能とを有している。払い出し部６２０は、入賞判定部６１９、又は、センターコントローラからの払い出し信号に基づいて、コインやメダル、クレジット等の形態で遊技価値をプレイヤに払い出す機能を有している。
【００８５】
送受信部６５２は、ベースゲームの実行内容、共通ゲームにおいて演算されたポイント等を各ゲーム端末１０の識別情報と共に、センターコントローラ２００へ出力する機能、及び、センターコントローラ２００からのゲーム開始指令、共通ゲームシンボル列画像５００ｂ等を受信する機能、を有している。
【００８６】
（ゲーミングマシン３００の機能ブロック：外部制御装置）
上記のように構成されたゲーム端末１０は、外部制御装置６２１に接続されている。外部制御装置６２１は、各ゲーム端末１０の動作状況や各種のゲーム設定値の変更等の処理を遠隔操作および遠隔監視する機能を備えている。さらに、外部制御装置６２１は、共通ゲームを複数のゲーム端末１０で同時に実行する機能を有している。
【００８７】
詳細に説明すると、図７に示すように、外部制御装置６２１は、共通ゲーム実行部６２１１と、ゲーム開始指令部６２１２と、配当決定部６２１３と、メモリ６２１４と、送受信部６２１７と、複数の上部ディスプレイ７００と、ディスプレイコントローラ７０１と、照度センサ７０２と、表示パターン記憶装置６２１５と、映像記憶装置６２１６と、センター側ボーナス種別記憶装置６２１９と、センター側確率テーブル記憶装置６２２０とを有している。
【００８８】
共通ゲーム実行部６２１１は、端末コントローラ６３０からのベースゲームの処理内容に基づいて共通ゲームを開始させるか否かを判定する機能と、各ゲーム端末１０において実行される共通ゲームを同期させる機能と、を有している。ゲーム開始指令部６２１２は、ゲーム端末１０へゲーム開始指令を出力する機能を有している。メモリ６２１４は、複数のゲーム端末１０毎に倍率毎の共通ゲーム参加資格時間を倍率と対応付けて記憶する。送受信部６２１７は、ゲーム端末１０との間でデータを送受信可能にする機能を有している。
【００８９】
上部ディスプレイ７００は並列配置されており、夫々対応するディスプレイコントローラ７０１により複数の上部ディスプレイ７００が１つの共通演出表示画面を形成するように制御される。尚、共通演出表示画面には、複数のゲーム端末１０に対応した複数の個別画像が表示されるようになっている。また、共通演出表示画面には、共通ゲーム開始用演出映像が表示されるようになっている。共通ゲーム開始用演出映像は、映像記憶装置６２１６に記憶される。また、ディスプレイコントローラ７０１は、共通ゲーム実行部６２１１によって制御される。照度センサ７０２は、上部ディスプレイ７００に当たる外乱光の明度を検出する。
【００９０】
表示パターン記憶装置６２１５には、識別情報と個別画像の複数の表示パターンとが対応付けて記憶される。また、センター側ボーナス種別記憶装置６２１９には、共通ゲームのボーナス種別と単位配当額とが対応付けて記憶される。また、センター側確率テーブル記憶装置６２２０には、ボーナス種別の組合せと該組合せの確率とが対応付けられた確率テーブルが記憶される。
【００９１】
（用語の定義）
本明細書において、『再配置』とは、シンボル５０１の配置が解除された後、再びシンボル５０１が配置される状態を意味する。『配置』とは、シンボル５０１が外部のプレイヤに対して目視により確認可能な状態であることを意味する。
【００９２】
また、『単位ゲーム』とは、ベットの受付開始から賞成立となり得る状態までの一連の動作である。本実施形態において、単位ゲームは、通常ゲームにおいて繰り返し実行可能にされ、ベットを受け付けるベットタイムと、停止されたシンボル５０１を再配置するゲームタイムと、配当を付与する払出処理の払出タイムと、をそれぞれ１回含む状態である。尚、『通常ゲーム』とは、遊技価値のベットを条件として実行され、再配置されたシンボル５０１に応じた量の遊技価値を支払うゲームのことである。換言すれば、『通常ゲーム』とは、遊技価値の消費を前提として単位ゲームが開始されるゲームのことである。本実施形態における『単位ゲーム』は、ゲーム端末１０毎に独立して実行される所謂スロットゲームである。
【００９３】
尚、本実施形態のゲーミングマシン３００は、ゲーム端末１０毎に上述のような単独で行うボーナスゲーム（端末ボーナスゲーム）が実行可能にされている。しかしながら、通常ゲームより有利な遊技状態となる他のボーナスゲームを合わせて採用してもよい。例えば、ボーナスゲームは、通常ゲームより多くの遊技価値を獲得し得る状態、通常ゲームより高い確率で遊技価値を獲得し得る状態、フリーゲーム等を含む通常ゲームより遊技価値の消費数が少なくなる状態等の各種の状態を単独や組合せて実現されてもよい。
【００９４】
『フリーゲーム』とは、通常ゲームよりも遊技価値のベットを少なく実行可能であるゲームのことである。『遊技価値のベットを少なく実行可能』は、ベットが“０”の場合を含む。従って、『フリーゲーム』は、遊技価値のベットを条件とすることなく実行され、再配置されたシンボル５０１に応じた量の遊技価値を支払うゲームのことであってもよい。換言すれば、『フリーゲーム』とは、遊技価値の消費を前提とせずに開始されるゲームであってもよい。これに対し、『通常ゲーム』は、遊技価値のベットを条件として実行され、再配置されたシンボル５０１に応じた量の遊技価値を支払うゲームのことである。換言すれば、『通常ゲーム』とは、遊技価値の消費を前提として開始されるゲームのことである。
【００９５】
本実施形態のゲーミングマシン３００は、通常ゲーム又はボーナスゲームが実行可能にされる状態と、共通ゲームが実行可能にされる状態とを有している。尚、通常ゲーム及び／又はボーナスゲーム（端末ボーナスゲーム）をベースゲームとも称す。従って、ベースゲームは、通常ゲーム及び／又はボーナスゲームを有している。また、共通ゲーム、及び、共通ゲームが行われている期間のことを『イベントタイム』とも称す。
【００９６】
『遊技価値』とは、コイン、紙幣又はこれらに相当する電子的な有価情報である。尚、本発明における遊技価値は、特に限定されるものではなく、例えば、メダル、トークン、電子マネー、チケット等の遊技媒体であってもよい。チケットは、特に限定されるものではなく、例えば、バーコード付きチケット等であってもよい。
【００９７】
尚、本実施形態においては、ゲーム端末１０とは別に、センターコントローラ２００を備えたゲーミングマシン３００を用いて説明するが、これに限定されるものではない。ゲーミングマシン３００は、１以上のゲーム端末１０がセンターコントローラ２００の機能を備え、ゲーム端末１０同士が相互にデータ通信可能に接続された構成にされていてもよい。また、ゲーム端末１０が他のゲーム端末１０と通信不可能に構成されていてもよい。
【００９８】
（ゲーミングマシン３００の内部接続構成）
次に、図１８を参照して、ゲーム端末１０を含むゲーミングマシン３００の内部接続構成について説明する。図１８は、本発明の第１実施形態に係るゲーム端末１０を含むゲーミングマシン３００を示す図である。
【００９９】
ゲーミングマシン３００は、６つのゲーム端末１０と、外部制御装置６２１とを備えている。外部制御装置６２１は、３つの上部ディスプレイ７００（７００ａ・７００ｂ・７００ｃ）と、３つのディスプレイコントローラ７０１（７０１ａ・７０１ｂ・７０１ｃ）とを有している。ディスプレイコントローラ７０１ａは、センターコントローラ２００が有している構成にされており、他のディスプレイコントローラ７０１ｂ・７０１ｃのホスト機能を有している。即ち、ディスプレイコントローラ７０１ｂ・７０１ｃは、ディスプレイコントローラ７０１ａのクライアントとなっている。ディスプレイコントローラ７０１ａ・７０１ｂ・７０１ｃは、夫々上部ディスプレイ７００ａ・７００ｂ・７００ｃにモニタケーブル３０２で接続されており、各上部ディスプレイ７００を制御するシステムコントローラとなっている。
【０１００】
また、ゲーミングマシン３００には、ハブ２０１が設けられている。ハブ２０１の上流には、ＬＡＮケーブル３０１を介して、ディスプレイコントローラ７０１ａ（センターコントローラ２００）が接続されている。また、ハブ２０１の下流には、ＬＡＮケーブル３０１を介して、各ゲーム端末１０とディスプレイコントローラ７０１ｂ・７０１ｃとが接続されている。即ち、センターコントローラ２００とゲーム端末１０とがデータ通信可能に接続され、センターコントローラ２００（ディスプレイコントローラ７０１ａ）がディスプレイコントローラ７０１ｂ・７０１ｃを制御可能に接続されている。これにより、複数の上部ディスプレイ７００を１つの共通演出表示画面として表示を行うように複数のディスプレイコントローラ７０１ａ・７０１ｂ・７０１ｃを制御することが可能となっている。
【０１０１】
また、上部ディスプレイ７００ａには、上部ディスプレイ７００ａに当たる外乱光の明度を検出する照度センサ７０２が設けられている。照度センサ７０２は、常時又は一定間隔でセンターコントローラ２００に対して、上部ディスプレイ７００ａに当たる外乱光の明度を示す明度信号を出力する。明度信号を受信したセンターコントローラ２００は、現在設定している輝度が適切であるかを予め定められた基準と比較して判定し、適切でない場合は輝度を適切なものに変更するようにディスプレイコントローラ７０１ａ・７０１ｂ・７０１ｃを制御する。
【０１０２】
（ゲーミングマシン３００の機械的構成）
次に、以上のように構成されたゲーミングマシン３００について、機械的及び電気的に具体的に構成した場合の一形態について説明する。
【０１０３】
図１９に示すように、ゲーミングマシン３００は、並列に配置され独立してベースゲームを実行する６つのゲーム端末１０と、ゲーム端末１０と通信可能に接続され、共通ゲームを実行する外部制御装置６２１（センターコントローラ２００）とを有している。外部制御装置６２１には、１つの共通演出表示画面を形成する３つの上部ディスプレイ７００ａ・７００ｂ・７００ｃが、複数のゲーム端末１０とは別に並列配置されている。
【０１０４】
また、隣り合うゲーム端末１０の間には、ゲーム端末間パネル８００が配設されている。各ゲーム端末間パネル８００は、夫々１以上のＬＥＤを有しており、自身をライトアップするようになっている。ゲーム端末間パネル８００には、ゲーミングマシン３００のゲームのテーマを表したデザインが記されており、ゲーム端末１０同士を一体化して見せることができるようになっている。これにより、ゲーミングマシン３００全体を大きく見せることができる。
【０１０５】
また、上部ディスプレイ７００には、ゲーム端末１０に対応するＬＥＤユニット８０１が設けられている。具体的に、ＬＥＤユニット８０１は、上部ディスプレイ７００の枠体上部の各ゲーム端末１０の上方に対応する位置に配設されている。即ち、複数のＬＥＤユニット８０１は、上部ディスプレイ７００を囲むように設けられている。例えば、ＬＥＤユニット８０１は、ゲーム端末１０において後述する単独特別ゲームが開始された際に、該ゲーム端末１０に対応して点滅等の演出が行われるようになっている。これにより、何れのゲーム端末１０が単独特別ゲームに当籤したかを報知することができる。
【０１０６】
また、外部制御装置６２１の上側、及び、各ゲーム端末１０の上側についても、ゲーミングマシン３００のゲームのテーマを表したデザインが記された装飾パネルが配設されている。尚、図１９を除いて、ゲーム端末間パネル８００、ＬＥＤユニット８０１、及び、上記の装飾パネルは省略して示す。
【０１０７】
図２０に示すように、ゲーム端末１０は、キャビネット１１と、キャビネット１１の前面に設けられたメインドア１３とを備えている。メインドア１３には、端末画像表示パネル１６が設けられている。端末画像表示パネル１６は、各種の情報を表示する透明液晶パネルを備えている。端末画像表示パネル１６は、複数のシンボル５０１をスクロール表示して配置する表示窓１５０（ビデオリール１５１〜１５５）（図２８参照）を表示すると共に、ゲームに関する各種の情報や演出画像等を必要に応じて表示する。
【０１０８】
尚、本実施形態では、端末画像表示パネル１６が電気的に複数のシンボル５０１を表示させて、５列３行のシンボルを表示する場合を例に挙げているが、これに限定されるものではない。
【０１０９】
尚、端末画像表示パネル１６には、クレジット数表示部及びペイアウト数表示部が表示されていてもよい。クレジット数表示部は、ゲーム端末１０がプレイヤに払い出し可能な合計枚数（以下、合計クレジット数とも称する）を表示する。ペイアウト数表示部は、ペイライン上に停止したシンボルのコンビネーションがウイニングコンビネーションであった場合に、払い出されるコインの枚数を表示する。
【０１１０】
端末画像表示パネル１６の下方には、コントロールパネル２０とコイン受入口２１と紙幣識別器２２とが設けられている。コントロールパネル２０は、複数のボタン２３〜２７、及び、コントロールレバー装置６００を備えている。これらのボタン２３〜２７、及び、コントロールレバー装置６００は、プレイヤによる遊技進行に関係する指示を入力可能にしている。コイン受入口２１は、コインをキャビネット１１内に受け入可能にしている。
【０１１１】
コントロールパネル２０は、スピンボタン２３と、チェンジボタン２４と、キャッシュアウトボタン２５と、１−ＢＥＴボタン２６と、最大ＢＥＴボタン２７とを有している。スピンボタン２３は、シンボルのスクロールを開始させる指示を入力するためのボタンである。チェンジボタン２４は、遊技施設の係員に両替を要求する際に用いるボタンである。キャッシュアウトボタン２５は、合計クレジット数分のコインをコイントレイ１８に払い出す指示を入力するためのボタンである。
【０１１２】
１−ＢＥＴボタン２６は、合計クレジット数分のコインのうち、１枚のコインを遊技に賭けるという指示を入力するためのボタンである。最大ＢＥＴボタン２７は、合計クレジット数分のコインのうち、１回の遊技に賭ける最大枚数（例えば、５０枚）のコインを遊技に賭けるという指示を入力するためのボタンである。
【０１１３】
紙幣識別器２２は、紙幣が正規のものであるか否かを識別すると共に、正規の紙幣をキャビネット１１内に受け入れる。尚、紙幣識別器２２は、後述するバーコード付チケット３９を読み取ることができる。紙幣識別器２２は、バーコード付チケット３９を読み取った場合、読み取った内容に関する読取信号をメインＣＰＵ４１に出力する。
【０１１４】
メインドア１３の下部前面、即ち、コントロールパネル２０の下方には、ベリーガラス３４が設けられている。ベリーガラス３４は、ゲーム端末１０のキャラクタ等が描かれている。
【０１１５】
端末画像表示パネル１６の下側には、チケットプリンタ３５と、カードリーダ３６と、データ表示器３７と、キーパッド３８とが設けられている。チケットプリンタ３５は、クレジット数や日時、ゲーム端末１０の識別番号等のデータがコード化されたバーコードをチケットに印刷し、バーコード付チケット３９として出力するものである。プレイヤは、バーコード付チケット３９を用いて他のゲーム端末１０で遊技することや、バーコード付チケット３９を遊技施設のキャッシャ等で紙幣等に交換することができる。
【０１１６】
カードリーダ３６は、スマートカードからのデータの読み取り及びスマートカードへのデータの書き込みを行うものである。スマートカードは、プレイヤが所持するカードであり、例えば、プレイヤを識別するためのデータ、プレイヤが行った遊技の履歴に関するデータが記憶される。
【０１１７】
データ表示器３７は、蛍光ディスプレイ等からなり、例えば、カードリーダ３６が読み取ったデータや、プレイヤがキーパッド３８により入力したデータを表示する。キーパッド３８は、チケット発行等に関する指示やデータを入力する。
【０１１８】
ここで、図面を参照して、コントロールレバー装置６００について説明する。図２１は、コントロールレバー装置６００を横方向から見た概略図である。図２２は、コントロールレバー装置６００を示す一部分解斜視図である。図２３は、コントロールレバー装置６００を右斜め前方から見た斜視図である。図２４は、カバーを外した状態でコントロールレバー装置６００を左斜め後方から見た斜視図である。図２５は、コントロールレバー装置６００を下方から見た斜視図である。図２１に示すように、コントロールレバー装置６００は、プレイヤが把持可能なレバー（レバー本体）６１００と、このレバー６１００を支持する支持機構６２００とを備える。レバー６１００は、該レバー６１００を振動させる振動モータ（第１モータ）６１０１を内蔵するとともに、その上部にＬＥＤ（発光装置）６１０２が設けられている。
【０１１９】
レバー６１００は、断面が略Ｔ字状に形成され、上部にＬＥＤ６１０２を備えた発光部とプレイヤが把持するための把持部とを有している。レバー６１００の発光部には、ＬＥＤ６１０２の光を透過させるための透光カバー６１０３が設けられている。把持部の上部には、振動モータ６１０１が格納されており、振動モータ６１０１は後述のモータ駆動制御回路６０３５（図２６）により振動制御されるようになっている。また、コントロールレバー装置６００は、ゲーム端末１０前方から見て前後に（図２１で示す基準位置から前後に）レバー６１００を回動可能になっている（図２１の矢印方向）。コントロールレバー装置６００は、把持部の下部のキャビネット１１内部にある箇所に回動モータ６２０２が設けられている。回動モータ６２０２は、後述のモータ駆動制御回路６０３５（図２６）により制御されて、レバー６１００に対して回動方向へトルクを与えるようになっている。尚、この回動方向へのトルクがレバー６１００を前方及び後方に自動的に回動させる駆動力になると共に、ゲーム時にレバー６１００に付与される負荷となる。
【０１２０】
また、図２２に示すように、コントロールレバー装置６００の発光部には、振動モータ６１０１と同軸に取り付けられ、振動モータ６１０１と共に回転する振り子部材６１０４が設けられている。振り子部材６１０４は、一部が径方向に突出した外形状を有している。振り子部材６１０４は、ＬＥＤ６１０２から透光カバー６１０３へ放出される光の少なくとも一部を遮蔽する位置に配設されている。これにより、振り子部材６１０４は、振動モータ６１０１と共に回転する際に、発光するＬＥＤ６１０２から透光カバー６１０３を介して外部へ放出される光を振動モータ６１０１と同期した態様に変化させることができるようになっている。即ち、振り子部材６１０４の突出部がＬＥＤ６１０２からの光を遮蔽したり通したりして、外部から視認される透光カバー６１０３からの光を変化させることができる。
【０１２１】
図２５で示すように、支持機構６２００は、レバー６１００の一端部（把持部が設けられていない方の端部）を貫通する回転軸６２０１を備えるとともに、この回転軸６２０１の一端に接続される回動モータ（第２モータ）６２０２を有する。この回転モータ６２０２によって回転軸６２０１を回転させることで、回転軸６２０１に連結されたレバー６１００を回動させることができる。また、回転軸６２０１の他端側（回転モータ６２０２が取り付けられていない方の端側）には、レバー６１００の傾き角度を検出するための傾き検出機構６００ａが取り付けられている。
【０１２２】
図２１に示すように、傾き検出機構６００ａは、回転軸６２０１に取り付けられた磁石６３０１と、この磁石６３０１の近傍に配置された磁力検出機構６３０２とを備える。磁石６３０１は、回転軸６２０１に取り付けられているため、レバー６１００の回動に連動して回転する。これにより、磁石６３０１は、レバー６１００の回動により外部磁場を変化させるようになっている。また、磁力検出機構６３０２は、磁力に応じた出力強度で磁力検出信号を出力する磁力センサと、この磁力センサを所定位置に固定するセンサ固定機構とを有している。磁力検出機構６３０２は、レバー６１００の回動に伴って変化する磁石６３０１の磁界の磁力を検出して、この磁力の検出値（磁力検出値）を表す磁力検出信号を出力するようになっている。この磁力検出値はレバー６１００の基準位置（プレイヤが操作をしないときのレバー６１００の位置）からの傾き角度を示し、磁力検出値によってレバー６１００の傾き角度を検出することができる。尚、レバー６１００の傾き角度（レバー位置）と磁力検出値とは、互いに対応付けて図示しないレバー位置設定テーブルに登録されている。
【０１２３】
図２３、図２５に示すように、支持機構６２００は、強固に形成された（後述の規制部材６４０２よりも強固に形成された）ケース６４００に収納される。このケース６４００には、レバー６１００の回動を可能にするためにレバー６１００の可動領域にスペース６４０１が形成されている。そして、図２３、図２４に示すように、スペース６４０１の前方側の縁６４０１ａよりもレバー６１００側（後側）の位置に規制部材６４０２（規制部材６４０２ａ）が配置されるとともに、スペース６４０１の後方側の縁６４０１ｂよりもレバー６１００側（前側）の位置に規制部材６４０２（６４０２ｂ）が配置される。尚、本明細書において、「前方」又は「前側」と記載する場合には「ゲーム端末１０の前方」又は「ゲーム端末１０の前側」すなわち図１９の手前側（図１のプレイヤ側）を意味し、「後方」又は「後側」と記載する場合には、「ゲーム端末１０の後方」又は「ゲーム端末１０の後側」すなわち図１９の奥側（図１の筐体側）を意味する。
【０１２４】
規制部材６４０２ａ、６４０２ｂは、例えば樹脂等で形成された弾性の部材であり、それぞれ取り付け部材６４０３（６４０３ａ、６４０３ｂ）を介してケース６４００に固定される。尚、規制部材６４０２ａ、６４０２ｂは、円柱形状を有し、左右方向に向くように（円柱の高さ方向がゲーム端末１０の左右方向を向くように）固定される。
【０１２５】
上記構成によって、レバー６１００はレバー６１００が前方に傾けられたときに、スペース６４０１の縁６４０１ａに当接する前に規制部材６４０２ａに当接する。すなわち、規制部材６４０２ａに当接するときのレバー６１００の基準位置からの傾き角度（上記第１の角度、及び上記第３の角度）は、スペース６４０１の縁６４０１ａに当接するときのレバー６１００の基準位置からの傾き角度（上記第４の角度）よりも小さい傾き角度に設定されている。また、レバー６１００が後方に傾けられたときに、レバー６１００は、スペース６４０１の縁６４０１ｂに当接する前に規制部材６４０２ｂに当接する。すなわち、規制部材６４０２ｂに当接するときのレバー６１００の基準位置からの傾き角度（上記第１の角度、及び上記第３の角度）も、スペース６４０１の縁６４０１ｂに当接するときのレバー６１００の基準位置からの傾き角度（上記第４の角度）よりも小さい傾き角度に設定されている。
【０１２６】
上記から、プレイヤがレバー６１００を過度に傾けた場合であっても、レバー６１００がスペース６４０１の縁６４０１ａ、６４０１ｂに当接する前に規制部材６４０２に当接するため、スペース６４０１の縁６４０１ａ、６４０１ｂにレバー６１００が衝突してしまっても、この衝突の衝撃を規制部材６４０２によって緩衝させることができる。このため、スペース６４０１の縁６４０１ａ、６４０１ｂや、支持機構６２００の破損等を効果的に防止することができる。
【０１２７】
（ゲーム端末１０の電気的構成）
図２６は、ゲーム端末１０の電気的構成を示したブロック図である。図２６に示すように、キャビネット１１の内部には、端末コントローラ６３０を備えた制御ユニットが設けられている。図２６に示すように、制御ユニットは、マザーボード４０、本体ＰＣＢ（Printed Circuit Board）６０、ゲーミングボード５０、ドアＰＣＢ８０、各種のスイッチ、及びセンサ等の構成要素を備えている。
【０１２８】
ゲーミングボード５０は、内部バスによって互い接続されたＣＰＵ（Central Processing Unit）５１と、ＲＯＭ５５及びブートＲＯＭ５２と、メモリカード５３に対応したカードスロット５３Ｓと、ＧＡＬ（Generic Array Logic）５４に対応したＩＣソケット５４Ｓとを備えている。
【０１２９】
メモリカード５３は、ゲームプログラム及びゲームシステムプログラムを記憶する。ゲームプログラムには、停止シンボル決定プログラムが含まれている。停止シンボル決定プログラムは、表示窓１５０上に停止するシンボル（シンボルに対応するコードナンバー）を決定するためのプログラムである。この停止シンボル決定プログラムには、複数種類のペイアウト率（例えば、８０％、８４％、８８％）のそれぞれに対応したシンボル重み付けデータが含まれている。シンボル重み付けデータは、ビデオリール１５１〜１５５のそれぞれについて、各シンボルのコードナンバーと、所定の数値範囲（０〜２５６）に属する１または複数の乱数値との対応関係を示すデータである。
【０１３０】
ペイアウト率は、ＧＡＬ５４から出力されるペイアウト率設定用データに基づいて定められるものであり、このペイアウト率に対応したシンボル重み付けデータに基づいて停止シンボルが決定される。
【０１３１】
さらに、メモリカード５３は、ゲームプログラム及びゲームシステムプログラムで用いられる各種のデータを記憶する。例えば、ビデオリール１５１〜１５５に表示されるシンボル５０１と乱数範囲との関係を示すデータが、テーブルの形式で記憶されている。尚、このデータは、ゲームプログラムの実行時において、マザーボード４０のＲＡＭ４３に転送される。
【０１３２】
また、カードスロット５３Ｓは、メモリカード５３の挿入、取り外しができるように構成され、ＩＤＥバスによってマザーボード４０に接続されている。従って、カードスロット５３Ｓからメモリカード５３を取り外し、メモリカード５３に別のゲームプログラム及びゲームシステムプログラムを書き込み、そのメモリカード５３をカードスロット５３Ｓに挿入することにより、ゲーム端末１０で行われる遊技の種類や内容を変更することができる。
【０１３３】
ゲームプログラムには、遊技進行に係るプログラム、共通ゲームへ移行させるためのプログラムが含まれる。また、ゲームプログラムには、遊技中に出力される画像データや音データが含まれる。
【０１３４】
ＧＡＬ５４は、複数の入力ポートと出力ポートとを備えている。ＧＡＬ５４は、入力ポートにデータが入力されると、このデータに対応したデータを出力ポートから出力する。出力ポートから出力されたデータは、上述したペイアウト率設定用データである。
【０１３５】
ＩＣソケット５４Ｓは、ＧＡＬ５４を取り付け、取り外しできるように構成されている。ＩＣソケット５４Ｓは、ＰＣＩバスによってマザーボード４０に接続されている。従って、ＩＣソケット５４ＳからＧＡＬ５４が取り外され、ＧＡＬ５４に格納されたプログラムが書き換えられた後、そのＧＡＬ５４がＩＣソケット５４Ｓに取り付けられるという作業によって、ＧＡＬ５４から出力されるペイアウト率設定用データの変更が可能になる。
【０１３６】
内部バスにより互いに接続されたＣＰＵ５１、ＲＯＭ５５及びブートＲＯＭ５２は、ＰＣＩバスによりマザーボード４０に接続されている。ＰＣＩバスは、マザーボード４０とゲーミングボード５０との間の信号伝達を行うと共に、マザーボード４０からゲーミングボード５０への電力供給を行う。ＲＯＭ５５には、国識別情報及び認証プログラムが記憶される。ブートＲＯＭ５２には、予備認証プログラム及びＣＰＵ５１が予備認証プログラムを起動するためのプログラム（ブートコード）等が記憶されている。
【０１３７】
認証プログラムは、ゲームプログラム及びゲームシステムプログラムを認証するためのプログラム（改竄チェックプログラム）である。認証プログラムは、ゲームプログラム及びゲームシステムプログラムが改竄されていないことの確認及び証明を行うためのプログラムである。即ち、認証プログラムは、ゲームプログラム及びゲームシステムプログラムの認証を行う手順に沿って記述されている。予備認証プログラムは、上述した認証プログラムを認証するためのプログラムである。予備認証プログラムは、認証処理の対象となる認証プログラムが改竄されていないことの証明、即ち、認証プログラムの認証を行う手順に沿って記述されている。
【０１３８】
マザーボード４０は、メインＣＰＵ４１（端末コントローラ６３０）と、ＲＯＭ（Read Only Memory）４２と、ＲＡＭ（Random Access Memory）４３と、通信部４４とを備えている。
【０１３９】
メインＣＰＵ４１は、ゲーム端末１０全体を制御する端末コントローラ６３０としての機能を備える。特に、メインＣＰＵ４１は、クレジットがＢＥＴされた後、スピンボタン２３が押された際に、グラフィックボード６８に対して複数のシンボル５０１を変動表示させる指令信号を出力する制御、複数のシンボル５０１が変動表示された後に、停止させるシンボル５０１を決定する制御、決定したシンボル５０１をビデオリール１５１〜１５５で停止させる制御を行う。
【０１４０】
即ち、メインＣＰＵ４１は、端末画像表示パネル１６に表示される複数のシンボルをスクロールした後に、新たなシンボルマトリクスとして再配置するために、シンボルマトリクスへの配列シンボルを複数種類のシンボルの中から選択して決定し、スクロール状態からその決定されたシンボルで停止する配置制御を実行するための配置コントローラとしての機能を備える。
【０１４１】
ＲＯＭ４２には、メインＣＰＵ４１により実行されるＢＩＯＳ（Basic Input/Output System）等のプログラムが記憶され、且つ、恒久的に用いるデータが記憶されている。メインＣＰＵ４１によりＢＩＯＳが実行されると、各周辺装置の初期化処理が行われると共に、メモリカード５３に記憶されているゲームプログラム及びゲームシステムプログラムのゲーミングボード５０を介した読み取り処理が開始される。ＲＡＭ４３には、メインＣＰＵ４１が処理を行う際に用いられるデータやプログラムが記憶される。
【０１４２】
通信部４４は、通信回線を介して遊技施設内に設けられるホストコンピュータ等との間での通信を行うためのものである。また、通信部４４は、ハブ２０１及び通信回線を介してセンターコントローラ２００との間で通信を行うためのものである。また、マザーボード４０には、本体ＰＣＢ（Printed Circuit Board）６０及びドアＰＣＢ８０が、それぞれＵＳＢ（Universal Serial Bus）によって接続されている。更に、マザーボード４０には、電源ユニット４５が接続されている。電源ユニット４５からマザーボード４０に電力が供給されると、マザーボード４０のメインＣＰＵ４１が起動するとともに、ＰＣＩバスを介してゲーミングボード５０に電力が供給されてＣＰＵ５１が起動する。
【０１４３】
本体ＰＣＢ６０及びドアＰＣＢ８０には、メインＣＰＵ４１に入力される入力信号を発生させる機器や装置と、メインＣＰＵ４１から出力される制御信号により動作が制御される機器や装置とが接続されている。メインＣＰＵ４１は、メインＣＰＵ４１に入力された入力信号に基づいて、ＲＡＭ４３に記憶されたゲームプログラム及びゲームシステムプログラムを実行することにより、演算処理を行ってその結果をＲＡＭ４３に記憶したり、各機器や装置に対する制御処理として各機器や装置に制御信号を送信したりする処理を行う。
【０１４４】
本体ＰＣＢ６０には、ランプ３０と、ホッパー６６と、コイン検出部６７と、グラフィックボード６８と、スピーカ２９と、紙幣識別器２２と、チケットプリンタ３５と、カードリーダ３６と、キースイッチ３８Ｓと、データ表示器３７とが接続されている。
【０１４５】
ランプ３０は、メインＣＰＵ４１から出力される制御信号に基づいて、点灯、消灯が制御される。
【０１４６】
ホッパー６６は、キャビネット１１内に設置され、メインＣＰＵ４１から出力される制御信号に基づいて、所定数のコインをコイン払出口１９からコイントレイ１８に払い出す。コイン検出部６７は、コイン払出口１９の内部に設けられ、コイン払出口１９から所定枚数のコインが払い出されたことを検出した場合には、メインＣＰＵ４１に対して入力信号を出力する。
【０１４７】
グラフィックボード６８は、メインＣＰＵ４１から出力される制御信号に基づいて、端末画像表示パネル１６における画像表示を制御する。また、グラフィックボード６８は、メインＣＰＵ４１から出力される制御信号に基づいて画像データを生成するＶＤＰ（Video Display Processor）や、ＶＤＰによって生成される画像データを一時的に記憶するビデオＲＡＭ等を備えている。尚、ＶＤＰによって画像データを生成する際に用いられる画像データは、メモリカード５３から読み出されてＲＡＭ４３に記憶されたゲームプログラム内に含まれている。
【０１４８】
紙幣識別器２２は、紙幣の画像を読み取り、正規の紙幣をキャビネット１１内に受け入れる。また、紙幣識別器２２は、正規の紙幣を受け入れたとき、その紙幣の額に基づいてメインＣＰＵ４１に対して入力信号を出力する。メインＣＰＵ４１は、該入力信号により伝達された紙幣の額に応じたクレジット数をＲＡＭ４３に記憶する。
【０１４９】
チケットプリンタ３５は、メインＣＰＵ４１から出力される制御信号に基づいて、ＲＡＭ４３に記憶されたクレジット数、日時やゲーム端末１０の識別番号等のデータがコード化されたバーコードをチケットに印刷し、バーコード付チケット３９として出力する。
【０１５０】
カードリーダ３６は、スマートカードからのデータを読み取ってメインＣＰＵ４１へ送信したり、メインＣＰＵ４１からの制御信号に基づいてスマートカードへのデータの書き込みを行う。キースイッチ３８Ｓは、キーパッド３８に設けられ、プレイヤによりキーパッド３８が操作されたとき、入力信号をメインＣＰＵ４１へ出力する。データ表示器３７は、メインＣＰＵ４１から出力される制御信号に基づいて、カードリーダ３６が読み取ったデータや、プレイヤによりキーパッド３８を介して入力されたデータを表示する。
【０１５１】
ドアＰＣＢ８０には、コントロールパネル２０と、リバータ２１Ｓと、コインカウンタ２１Ｃと、冷陰極管８１とが接続されている。コントロールパネル２０には、スピンボタン２３に対応したスピンスイッチ２３Ｓ、チェンジボタン２４に対応したチェンジスイッチ２４Ｓ、キャッシュアウトボタン２５に対応したキャッシュアウトスイッチ２５Ｓ、１−ＢＥＴボタン２６に対応した１−ＢＥＴスイッチ２６Ｓ、及び、最大ＢＥＴボタン２７に対応した最大ＢＥＴスイッチ２７Ｓが設けられている。各スイッチ２３Ｓ〜２７Ｓは、対応するボタン２３〜２７がプレイヤによって操作されたとき、メインＣＰＵ４１に対して入力信号を出力する。
【０１５２】
コインカウンタ２１Ｃは、コイン受入口２１の内部に設けられていて、プレイヤによってコイン受入口２１に投入されたコインが正規のものであるか否かを識別する。正規のコイン以外のものは、コイン払出口１９から排出される。また、コインカウンタ２１Ｃは、正規のコインを検出したときにメインＣＰＵ４１に対して入力信号を出力する。
【０１５３】
リバータ２１Ｓは、メインＣＰＵ４１から出力される制御信号に基づいて動作するものであり、コインカウンタ２１Ｃによって正規のコインとして認識されたコインを、ゲーム端末１０内に設置されたキャッシュボックス（図示せず）またはホッパー６６に振り分ける。即ち、ホッパー６６がコインで満たされている場合、正規のコインはリバータ２１Ｓによってキャッシュボックスに振り分けられる。一方、ホッパー６６がコインで満たされていない場合には、正規のコインはホッパー６６に振り分けられる。冷陰極管８１は、端末画像表示パネル１６と、上側画像表示パネル３３との背面側に設置されるバックライトとして機能するものであり、メインＣＰＵ４１から出力される制御信号に基づいて点灯する。
【０１５４】
また、本体ＰＣＢ６０には、モータ駆動制御回路６０３５が接続されている。モータ駆動制御回路６０３５は、振動モータ６１０１及び回動モータ６２０２の駆動を制御する。また、本体ＰＣＢ６０には、ＬＥＤ６１０２が接続されている。本体ＰＣＢ６０は、ＬＥＤ６１０２の発光を制御する。
【０１５５】
また、本体ＰＣＢ６０には、磁力検出機構６３０２が接続されている。磁力検出機構６３０２は、上述のように、レバー６１００の位置を示す磁力を検出し、当該磁力の検出値（磁力検出値）を示す磁力検出信号を本体ＰＣＢ６０へ送信する。本体ＰＣＢ６０は、描画周期（例えば、１／６０ｓｅｃ）以下の短い時間が経過する毎に、磁力検出信号の検出値を示す磁力検出データを生成して、メインＣＰＵ４１に入力する。尚、メインＣＰＵ４１は、本体ＰＣＢ６０から取得した磁力検出データの示す磁力検出値でレバー位置設定テーブルを検索し、これによって、レバー６１００の傾き角度（レバー位置）を取得する。
【０１５６】
（センターコントローラ２００の電気的構成）
図２７は、センターコントローラ２００の電気的構成を示したブロック図である。センターコントローラ２００の内部には、制御ユニットが設けられている。図２７に示すように、制御ユニットは、マザーボード２４０、ゲーミングボード２６０、及びアクチュエーター等の構成要素を備えている。
【０１５７】
ゲーミングボード２６０は、上記ゲーミングボード５０と同一構成である。マザーボード２４０は、上記マザーボード４０と同一構成である。通信部２４４は、通信回線を介して端末コントローラ６３０との間で通信を行うためのものである。
【０１５８】
グラフィックボード２６８は、上記グラフィックボード６８と同一構成であるが、メインＣＰＵ２４１から出力される制御信号に基づいて、上部ディスプレイ７００ａの表示を制御するという点で異なる。即ち、グラフィックボード２６８は、ディスプレイコントローラ７０１ａとして機能する。また、グラフィックボード２６８は、通信部２２４、ハブ２０１、及び通信回線を介して、上部ディスプレイ７００ｂ・７００ｃを制御するグラフィックボート２６９・２７０に制御信号を出力する。即ち、グラフィックボート２６９・２７０は、ディスプレイコントローラ７０１ｂ・７０１ｃとして機能する。
【０１５９】
（ベースゲーム）
次に、ゲーム端末１０で独立して実行されるベースゲームについて説明する。本実施形態において、ベースゲームは、通常ゲームとボーナスゲームとを有している。
【０１６０】
（シンボル、コンビネーション等）
ベースゲームが表示される端末画像表示パネル１６のビデオリール１５１〜１５５に表示されるシンボル５０１は、複数のシンボル５０１によりシンボル列を形成している。図２８に示すように、端末画像表示パネル１６には、ビデオリール１５１〜１５５により構成される表示窓１５０が表示される。表示窓１５０は、５列、３行の１５個の表示ブロック２８により構成されている。即ち、各ビデオリール１５１〜１５５は、夫々３個の表示ブロック２８で構成される。各ビデオリール１５１〜１５５は、３個の表示ブロック２８が全体的に速度を変更しながら下方向に移動表示（スクロール表示）されることによって、各表示ブロック２８に表示されたシンボル５０１を縦方向に回転させた後に停止する再配置を行うことを可能にしている。
【０１６１】
表示窓１５０の左側及び右側には、ペイライン発生列が左右対称に配置されている。プレイヤ側から見て左側のペイライン発生列は、図２８に示すように、１９個のペイライン発生部６５Ｌ（６５Ｌａ、６５Ｌｂ、６５Ｌｃ、６５Ｌｄ、６５Ｌｅ、６５Ｌｆ、６５Ｌｇ、６５Ｌｈ、６５Ｌｉ、６５Ｌｊ、６５Ｌｋ、６５Ｌｌ、６５Ｌｍ、６５Ｌｎ、６５Ｌｏ、６５Ｌｐ、６５Ｌｑ、６５Ｌｒ、６５Ｌｓ）を有している。
【０１６２】
一方、右側のペイライン発生列は、１９個のペイライン発生部６５Ｒ（６５Ｒａ、６５Ｒｂ、６５Ｒｃ、６５Ｒｄ、６５Ｒｅ、６５Ｒｆ、６５Ｒｇ、６５Ｒｈ、６５Ｒｉ、６５Ｒｊ、６５Ｒｋ、６５Ｒｌ、６５Ｒｍ、６５Ｒｎ、６５Ｒｏ、６５Ｒｐ、６５Ｒｑ、６５Ｒｒ、６５Ｒｓ）を有している。
【０１６３】
ペイライン発生部６５Ｌは、何れかのペイライン発生部６５Ｒとペアを形成している。各ペイライン発生部６５Ｌから、当該ペイライン発生部６５Ｌとペアの関係にあるペイライン発生部６５Ｒへと向かう線であるペイラインＬが予め規定されている。尚、図２８では、説明を行いやすくするために、ペイラインＬを１個しか描いていないが、本実施形態では、ペイラインＬは１０個規定されている。
【０１６４】
上記のペイラインＬは、ペイライン発生部６５Ｌ・６５Ｒ間を結ぶことにより有効化される。それ以外の場合は、無効化されている。ペイラインＬの有効数は、ベット額に基づいて決定される。最大のベット額であるマックスベットの場合においては、最大数である１０個のペイラインＬが有効化される。有効化されたペイラインＬは、各シンボル５０１についての各種のウィニングコンビネーションを成立させる。ウィニングコンビネーションの詳細については後述する。
【０１６５】
尚、本実施形態では、ゲーム端末１０が所謂ビデオスロットマシンである場合について説明しているが、本発明のゲーム端末１０は、所謂機械式リールを一部のビデオリール１５１〜１５５に代用してもよい。
【０１６６】
各シンボル列を構成するシンボル５０１には、図２９に示すように、０〜１９以上の何れかのコード番号が付与される。各シンボル列は、『特別シンボル５１０』、『Ａ』、『Ｑ』、『Ｊ』、『Ｋ』、『Angelfish』、『Clownfish』、『Tuna』、及び『Coelacanth』のシンボル５０１が組み合わされて構成されている。
【０１６７】
シンボル列の内の３個の連続したシンボル５０１は、図２８に示すように、各ビデオリール１５１〜１５５の表示領域の上段、中段、及び、下段のそれぞれに表示（配置）されることによって、表示窓１５０において５列３行のシンボルマトリクスを構成している。シンボルマトリクスを構成するシンボル５０１は、少なくともスタートボタン２３が押下、又は、レバー６１００が傾けられてゲームが開始されると、スクロールを開始する。スクロールが開始されてから所定時間が経過すると、各シンボル５０１のスクロールが停止する（再配置）。
【０１６８】
また、各シンボル５０１について、各種のウィニングコンビネーションが予め定められている。尚、ウィニングコンビネーションは、賞を成立させることを意味する。ウィニングコンビネーションは、ペイラインＬ上で停止したシンボル５０１のコンビネーションがプレイヤにとって有利な状態になるコンビネーションのことである。有利な状態とは、ウィニングコンビネーションに応じたコインが払い出される状態、コインの払出数がクレジットに加算される状態、ボーナスゲームが開始される状態等のことである。
【０１６９】
本実施形態におけるウィニングコンビネーションは、『Ａ』、『Ｑ』、『Ｊ』、『Ｋ』、『ＢＡＴ』、『Angelfish』、『Clownfish』、『Tuna』、及び『Coelacanth』のうち少なくとも１種類のシンボル５０１が、有効化されたペイラインＬ上に、所定数以上で再配置された場合をいう。また、所定種類のシンボル５０１がスキャッタシンボルとして設定されている場合には、ペイラインＬの有効及び無効に拘らずに、所定数以上で再配置された場合にウィニングコンビネーションとなる。
【０１７０】
例えば、通常ゲームにおいて、ペイラインＬ上に『ＢＡＴ』のシンボル５０１がウィニングコンビネーションの態様で停止した場合には、『ＢＡＴ』の基本払い出し数にベット額を乗算した払い出し数のコイン（有価価値）の払い出しが行われる。
【０１７１】
（シンボルテーブル）
図２９は、通常ゲームにおいて用いられる再配置の対象となるシンボル５０１を決定する際に用いられるシンボルテーブルである。シンボルテーブルは、各シンボル列における表示ブロック２８の各シンボル５０１と、コードＮｏ．とが対応付けられていると共に、０〜６５５３５の範囲を２０区分した数値値範囲が各コードＮｏ.に対応付けられている。
【０１７２】
尚、区分の態様は、均等であってもよいし、不均等であってもよい。不均等の場合には、乱数値の範囲により当選する確率をシンボル５０１の種類により調整することが可能になる。また、特別シンボル５１０に対応する範囲が、他種類のシンボル５０１よりも狭い範囲に設定されていてもよい。この場合には、ゲームの状況に応じて、価値のある種類のシンボル５０１を当選し難くして、勝敗を容易に調整することができる。
【０１７３】
例えば、１列目において、無作為に選ばれた乱数値が“１００００”であれば、この乱数値を含む乱数範囲に対応付けられたコードＮｏ.３の『Ｊ』が、１列目のビデオリール１５１において再配置の対象とされる。また、例えば、４列目において、無作為に選ばれた乱数値が“４００００”であれば、この乱数値を含む乱数範囲に対応付けられたコードＮｏ.１２の『特別シンボル５１０』が、４列目のビデオリール１５１において再配置の対象とされる。
【０１７４】
（ベースゲーム：通常ゲーム画面）
図２８は、端末画像表示パネル１６における通常ゲームの表示画面である通常ゲーム画面の一例を示している。
【０１７５】
具体的に説明すると、通常ゲーム画面は、中央部に配置され５列のビデオリール１５１〜１５５を有した表示窓１５０と、表示窓１５０を中心として左右対称に配置されたペイライン発生部６５Ｌ・６５Ｒとを有している。尚、図２８の通常ゲーム画面においては、１列目〜３列目のビデオリール１５１・１５２・１５３が停止された状態である一方、４列目及び５列目のビデオリール１５４・１５５がスクロール表示中である。
【０１７６】
端末画像表示パネル１６の上部には、左側にクレジット数表示部４００とＢＥＴ数表示部４０１とが、右側にペイアウト表示部４０２とが配置されている。
【０１７７】
クレジット数表示部４００は、クレジット数を表示する。ＢＥＴ数表示部４０１は、今回の単位ゲームにおけるベット額を表示する。ペイアウト表示部４０２は、ウィニングコンビネーションとなったときのコインの払出数を表示する。
【０１７８】
一方、表示窓１５０の下方には、警告画像表示部４０９、ヘルプボタン４１０とペイテーブルボタン４１１とベット単位表示部４１２とが配置されている。これらの各部４１０・４１１・４１２は、プレイヤから見て左端から右方向へ順に配置されている。
【０１７９】
ヘルプボタン４１０は、プレイヤの押圧操作によりヘルプモードを実行可能にしている。ヘルプモードは、プレイヤに対してゲームに関係する疑問を解消するための情報を提供するモードである。ペイテーブルボタン４１１は、プレイヤの押圧操作により配当内容を表示する配当表示モードを実行可能にしている。配当表示モードは、プレイヤに対してウィニングコンビネーションと配当倍率との関係を示す説明画面を表示するモードである。
【０１８０】
ベット単位表示部４１２は、現時点におけるベット単位（支払い単位）を表示する。これにより、ベット単位表示部４１２は、プレイヤに対して例えば１セント単位でゲームに参加できることを認識可能にしている。
【０１８１】
表示窓１５０の上方には、配当倍率表示部４０３が配置されている。配当倍率表示部４０３は、共通ゲームへの参加資格がある場合に表示され、参加資格がない場合には非表示となる。即ち、共通ゲームが開始されたときに、配当倍率表示部４０３が表示されている場合、共通ゲームへ参加できるようになっている。配当倍率表示部４０３には、共通ゲームで得た単位配当額に乗算される配当倍率が表示される。
【０１８２】
ここで、参加資格を有していることを示す配当倍率及びこの配当倍率について説明する。参加資格は、通常ゲームへのＢＥＴを行うことにより、共通ゲームへ参加する資格がある時間（共通ゲーム参加資格時間）として、ゲーム端末１０へ付与される。付与される共通ゲーム参加資格時間は、単位時間（本実施形態では、１秒）毎に配当倍率が通常ゲーム用参加資格時間付与テーブルに予め定められる。
【０１８３】
（通常ゲーム用参加資格時間付与テーブル）
図３０は、通常ゲームにおいて共通ゲーム参加資格時間が付与される場合に参照される通常ゲーム用参加資格時間付与テーブルである。通常ゲーム用参加資格時間付与テーブルは、センターコントローラ２００のＲＡＭ２４３に記憶される。通常ゲーム用参加資格時間付与テーブルでは、通常ゲームにおいて付与される共通ゲーム参加資格時間と配当倍率とが、ＢＥＴされたＢＥＴ額に応じて有効化されるペイラインＬの数毎に予め定められている。
【０１８４】
例えば、通常ゲームへのＢＥＴにより有効化されたペイラインＬの数が１である場合、６秒の共通ゲーム参加資格時間が付与される。そして、付与された共通ゲーム参加資格時間における配当倍率は、１倍が６秒となる。また、例えば、通常ゲームへのＢＥＴにより有効化されたペイラインＬの数が５である場合、８秒の共通ゲーム参加資格時間が付与される。そして、付与された共通ゲーム参加資格時間における配当倍率は、１倍〜４倍が夫々１秒であり５倍が４秒となる。即ち、通常ゲームにおいてはＢＥＴ額が多ければ有効化されるペイラインが増え、これに伴い付与される共通ゲーム参加資格時間が増えると共に配当倍率も高くなっている。尚、本実施形態で付与される配当倍率の上限は１０倍となっている。
【０１８５】
（共通ゲーム参加資格時間管理テーブル）
全てのゲーム端末１０毎の共通ゲーム参加資格時間は、ＲＡＭ２４３において一時記憶される共通ゲーム参加資格時間管理テーブルで管理される。図３１は、共通ゲーム参加資格時間が付与された場合に更新される共通ゲーム参加資格時間管理テーブルである。共通ゲーム参加資格時間管理テーブルでは、付与された共通ゲーム参加資格時間と配当倍率とが、ゲーム端末１０毎に累積記憶される。
【０１８６】
例えば、ゲーム端末１０ａが有している共通ゲーム参加資格時間は、１倍が６秒、２倍が１２秒、３倍が１８秒、４倍が６秒となっている。ゲーム端末１０ａがこの状態で共通ゲームに参加して単位配当額が付与された場合、単位配当額に最も高い倍率の４倍が乗算されて付与される。即ち、ゲーム端末１０ａの配当倍率表示部４０３には、配当倍率が「４倍」であることを示す「４×」が表示される。
【０１８７】
尚、共通ゲーム参加資格時間は、所定時間毎（本実施形態では、１秒毎）に、最も高い倍率の共通ゲーム参加資格時間から単位時間だけ減少されるようになっている。従って、上記状態のゲーム端末１０ａが６秒の間に共通ゲーム参加資格時間が付与されない場合、４倍の６秒分は減算され、最も高い配当倍率は「３倍」となる。
【０１８８】
（資格時間上限テーブル）
また、各ゲーム端末１０が累積記憶できる共通ゲーム参加資格時間には、上限が予め資格時間上限テーブルに定められている。資格時間上限テーブルは、センターコントローラ２００のＲＡＭ２４３に記憶される。図３２に示すように、資格時間上限テーブルでは、配当倍率Ｎと、該配当倍率Ｎ以上の共通ゲーム参加資格時間の累積の上限ＸＮとが対応付けられている。
【０１８９】
具体的に、１倍の配当倍率に対して、累積の上限が定められている。即ち、全ての共通ゲーム参加資格時間の合計は４５秒以下に制限される。尚、累積の上限はこれに限定されず、例えば６０秒であってもよい。
【０１９０】
（累積計算テーブル）
共通ゲーム参加資格時間が付与される場合、上述のような資格時間上限テーブルを参照して、累積計算テーブルを用いて共通ゲーム参加資格時間管理テーブルを更新するための計算が行われる。累積計算テーブルは、センターコントローラ２００のＲＡＭ２４３に記憶される。図３３に示すように、累積計算テーブルには、配当倍率毎に以下の内容が格納されるようになっている。即ち、共通ゲーム参加資格時間管理テーブルの「付与前の共通ゲーム参加資格時間」、有効化されたペイラインに応じた通常ゲーム用参加資格時間付与テーブルの「付与する共通ゲーム参加資格時間」、「付与前の共通ゲーム参加資格時間」を「付与する共通ゲーム参加資格時間」に加算した「付与後の共通ゲーム参加資格時間」、Ｎ倍以上の配当倍率における「付与後の共通ゲーム参加資格時間の累積ＹＮ」、資格時間上限テーブルに定められたＮ倍以上の配当倍率における「参加資格時間の累積上限ＸＮ」、「算出後の累計ＹＮ」、及び、共通ゲーム参加資格時間管理テーブルを更新する新たな「共通ゲーム参加資格時間ＺＮ」が格納されるようになっている。
【０１９１】
例えば、付与前の共通ゲーム参加資格時間が、５倍以上の各倍率が０秒、４倍が６秒、３倍が１８秒、２倍が１２秒、１倍が６秒であって、ペイラインＬの数が３となるようにＢＥＴを行った場合、共通ゲーム参加資格時間は、４倍が１秒、３倍が１８秒、２倍が１２秒、１倍が６秒加算される。この場合、付与後の共通ゲーム参加時間は、４倍が７秒、３倍が２１秒、２倍が１４秒、１倍が７秒となる。その結果、Ｎ倍以上の参加資格時間の累積ＹＮは、４倍以上が７秒、３倍以上が２１秒、２倍以上が４２秒、１倍以上が４９秒となる。
【０１９２】
しかしながら、資格時間上限テーブルには、４倍以上が４２秒、３倍以上が４３秒、２倍以上が４４秒、１倍以上が４５秒の上限が定められており、１倍以上の４９秒が上限ＸＮを超えることになる。この場合、上限の４５秒を１倍の新たな累積とし、差分の４秒分が２倍の累積に加算される。その結果、２倍の累積が４６秒となるため、上限の４４秒を２倍の新たな累積とし、差分の２秒分が３倍の累積に加算される。その結果、３倍の累積が３０秒となり３倍の上限である４３秒以下となるため、３倍の累積が３０秒に確定される。また、４倍の累積は７秒であり、４倍の上限である４２秒以下となるため、４倍の累積が７秒に確定される。即ち、ＹＮがＸＮを超える場合、ＹＮ＝ＸＮ、かつ、ＹＮ＋１＝ＹＮ＋１＋ＹＮ−ＸＮの計算を低い倍率から繰り返す。
【０１９３】
そして、共通ゲーム参加時間ＺＮを、ＹＮ−ＹＮ＋１から算出し、その算出結果で共通ゲーム参加資格時間管理テーブルが更新される。
【０１９４】
このような累積計算を行うことにより、共通ゲーム参加資格時間×配当倍率の累積が、累積計算の前後で変化させないようにすることができる。
【０１９５】
（ベースゲーム：ボーナスゲーム画面）
図３４は、端末画像表示パネル１６において、ボーナスゲームである単独特別ゲームの開始が決定された通常ゲーム画面の一例を示している。図３４の通常ゲーム画面においては、１列目〜５列目のビデオリール１５１〜１５５のすべてが停止された状態であり、２〜４列目のビデオリール１５２〜１５４の中段において、「特別シンボル５１０」のシンボル５０１が３つ並んでいる。これにより、ゲーム端末１０が単独で実行する単独特別ゲームが開始される。尚、単独特別ゲームを開始するための特別シンボル５１０の停止態様はこれに限定されず、ペイラインＬ上の何れかに所定以上の「特別シンボル５１０」が停止すればよい。また、「特別シンボル５１０」がペイライン上であることに限定されず、例えば、スキャッタシンボル方式を用いて、表示ブロック２８の何れかに所定数以上配置されることを条件としてもよい。
【０１９６】
図３５は、単独特別ゲーム中の端末画像表示パネル１６及び上部ディスプレイ７００の表示態様を示す説明図である。単独特別ゲーム中は、端末画像表示パネル１６には、ルックアップ表示部４０４が表示される。図３５に示すように、ルックアップ表示部４０４は、端末画像表示パネル１６の中央領域を覆うように表示され、単独特別ゲーム中において端末画像表示パネル１６が使用されず、上部ディスプレイ７００を見るようにプレイヤに報知することができる。
【０１９７】
尚、本実施形態では、単独特別ゲームが開始されると共に、共通ゲーム参加資格時間が付与されるようになっている。単独特別ゲーム開始時に付与される共通ゲーム参加資格時間は、通常ゲーム用参加資格時間付与テーブル（図３０）に定められるものと異なっており、図３６の単独特別ゲーム用参加資格時間付与テーブルが用いられる。単独特別ゲーム用参加資格時間付与テーブルは、有効化されたペイラインＬの数が多いほど、付与される共通ゲーム用参加資格時間が少ないが配当倍率が高くなっている。
【０１９８】
図３７は、単独特別ゲーム中の上部ディスプレイ７００の表示態様を示す説明図である。３つの上部ディスプレイ７００ａ・７００ｂ・７００ｃで構成される上部ディスプレイ７００には、１つの共通演出表示画面が表示されるようになっている。共通演出表示画面は、６つのゲーム端末１０ａ〜１０ｆの夫々に対応するゲーム端末領域７０３ａ〜７０３ｆで構成されている。
【０１９９】
図３７において、ゲーム端末１０ｃが単独特別ゲームを実行しており、ゲーム端末１０ｃの端末画像表示パネル１６にルックアップ表示部４０４が表示されている。単独特別ゲームでは、ゲーム端末１０ｃに対応するゲーム端末領域７０３ｃにおいて、単独特別ゲーム用の個別画像７１０が表示されるようになっている。
【０２００】
具体的に、個別画像７１０は、釣り人画像７１１、釣り針画像７１２、釣り餌画像７１３、及び、魚画像７１４を有している。釣り人画像７１１は、各ゲーム端末領域７０３ａ〜７０３ｆの上部に表示される。釣り人画像７１１は、ゲーム端末１０毎に異なる画像が用いられ、共通演出表示画面における各ゲーム端末領域７０３ａ〜７０３がどのゲーム端末１０に対応しているかを識別できるようになっている。
【０２０１】
釣り針画像７１２は、単独特別ゲームが実行される各ゲーム端末領域７０３ａ〜７０３ｆの略中央に表示される。釣り針画像７１２は、レバー６１００の変動と連動した表示パターンで表示されるようになっている。釣り餌画像７１３は、釣り針画像７１２の下端部に表示される。釣り餌画像７１３は、単独特別ゲームにおいて所定額（本実施形態では３０００）以上の単位配当額に対応するボーナスに当籤した場合、大きく表示されるようになっている。
【０２０２】
魚画像７１４は、ボーナスゲームで当籤するボーナスに対応している。魚画像７１４は、魚の大きさでボーナスゲームにおける単位配当額の大小を示すとともに、単位配当額が数値で表示されるようになっている。単独特別ゲームが実行されるゲーム端末領域７０３において、魚画像７１４は複数表示され、複数の魚画像７１４が釣り餌画像７１３に近づく態様や釣り餌画像７１３の近くを泳ぐ態様で表示される。
【０２０３】
（ボーナス種別テーブル）
ここで、図３８に示されるボーナス種別テーブルを参照して、魚画像７１４に対応するボーナスについて説明する。ボーナス種別テーブルには、ボーナス種別と単位配当額とランクとが対応付けて記憶されている。尚、ボーナス種別テーブルは、ゲーム端末１０のＲＡＭ４３及びセンターコントローラ２００のＲＡＭ２４３の両方に格納されている。
【０２０４】
例えば、ブルーマーリンは、１００００の単位配当額に対応しており、ランクが１となっている。従って、ブルーマーリンが魚画像７１４としてゲーム端末領域７０３に表示される場合、魚の画像とともに１００００の数値が表示される。また、単位配当額が所定額（３０００）以上であるため、ブルーマーリンが当籤した場合は、釣り餌画像７１３が大きく表示されるようになっている。
【０２０５】
（単独特別ゲーム用確率テーブル）
単独特別ゲームの配当額の決定は、図３９に示される単独特別ゲーム用確率テーブルを参照して行われる。尚、図示しないが、単独特別ゲーム用確率テーブルは複数種類記憶されており、単独特別ゲーム開始時に有効化されていたペイラインＬの数に応じて決定されるようになっている。単独特別ゲーム用確率テーブルは、０〜６５５３５の範囲を区分した乱数範囲と当籤ボーナス種別とが対応付けられている。当籤ボーナス種別は、１以上のボーナスが格納されている。例えば、乱数値として２５０が抽出された場合、当籤ボーナス種別は、ワフー、ブラックシーバス、オヒョウに対応する全てが配当として付与されるようになっている。
【０２０６】
図４０は、単独特別ゲームにおいて表示される当籤画面の一例を示す。当籤画面においては、釣り人画像７１１が魚画像７１４を釣り上げる表示パターンが表示されるようになっている。また、当籤画面において、トータル表示部７１５がゲーム端末領域７０３の上部に表示される。トータル表示部７１５は、当籤したボーナスの合計額を表示する。最終的にトータル表示部７１５に表示された数値が付与されるボーナスの合計額となる。尚、釣りあげられた魚画像７１４は、図３８のボーナス種別テーブルに対応付けられたランクに応じた大きさで表示されるようになっている。具体的には、ボーナス種別は、ランクの数値が小さいほど、単位配当額が大きくなっており、釣り上げられた魚画像７１４の大きさも大きく表示されるようになっている。
【０２０７】
また、ボーナスゲームとしてミステリーボーナスが実行されるようになっている。ミステリーボーナスは、単独特別ゲームのように所定数以上の特別シンボル５１０が停止することにより発生するものではなく、３列目のビデオリール１５３に特別シンボル５１０が停止しないことを条件として、抽選により開始が決定される。
【０２０８】
ミステリーボーナス開始の抽籤は、図４１のミステリーボーナス開始抽籤テーブルが参照されて行われる。ミステリーボーナス開始抽籤テーブルでは、ミステリーボーナスの『発生』、『演出のみ』、『発生しない』の夫々の乱数範囲が有効化されていたペイラインＬの数毎に定められている。
【０２０９】
例えば、ペイラインＬの数が３であって抽出した乱数値が「２」である場合は、ミステリーボーナスの演出が行われミステリーボーナスが配当として付与される。また、ペイラインＬの数が３であって抽出した乱数値が「５」である場合は、ミステリーボーナスの演出のみ行われる。また、ペイラインＬの数が３であって抽出した乱数値が「１５」である場合は、何も実行されず通常ゲームのままとなる。
【０２１０】
ミステリーボーナスが発生する場合、図４２のミステリーボーナス用確率テーブルが参照されて当籤するボーナスが決定される。尚、図示しないが、ミステリーボーナス用確率テーブルは複数種類記憶されており、ミステリーボーナス開始時に有効化されていたペイラインＬの数に応じて決定されるようになっている。ミステリーボーナス用確率テーブルは、０〜５０００の範囲を区分した乱数範囲と当籤ボーナス種別とが対応付けられている。当籤ボーナス種別は、１のボーナスが格納されている。
【０２１１】
ミステリーボーナス開始抽籤テーブルを参照して、ミステリーボーナス開始の抽籤の結果、「発生」及び「演出のみ」に当籤した場合、図４３に示すような、ミステリーボーナス演出画面が表示される。ミステリーボーナス演出画面では、演出画面の表示が決定されたゲーム端末１０に対応するゲーム端末領域７０３において、上部から下部へ落ちていく撒き餌画像７１６が表示される。このとき、単独特別ゲームと同様に、端末画像表示パネル１６において図３５に示したようなルックアップ表示部４０４が表示される。その後、「発生」に当籤している場合は、図４０に示すような当籤画面が表示されてミステリーボーナスが終了する。
【０２１２】
尚、上述の単独特別ゲーム及びミステリーボーナスが実行されている際に、共通ゲームの実行開始条件が成立した場合、単独特別ゲーム及びミステリーボーナスの演出表示、配当付与等が終了してから共通ゲームが開始されるようになっている。
【０２１３】
（共通ゲーム）
次に複数のゲーム端末１０が同期して実行される共通ゲームについて説明する。共通ゲームは、所定時間毎（本実施形態では、１秒毎）に共通ゲームを開始するか否かの抽籤が、図４４に示す共通ゲーム開始抽籤テーブルが参照されて行われる。
【０２１４】
（共通ゲーム開始抽籤テーブル）
図４４に示すように、共通ゲーム開始抽籤テーブルでは、共通ゲームの『発生』、『演出のみ』、『発生しない』の夫々の乱数範囲が定められている。例えば、抽出した乱数値が「１」である場合は、共通ゲーム開始の演出が行われた後に共通ゲームが開始される。また、抽出した乱数値が「３」である場合は、共通ゲーム開始の演出のみ行われる。また、抽出した乱数値が「１５」である場合は、何も実行されず通常ゲームのままとなる。
【０２１５】
共通ゲームが開始する場合、図４５の共通ゲーム種別抽籤テーブルが参照されて何れの共通ゲームを実行するかが決定される。具体的に、第１共通ゲーム、第２共通ゲーム、第３共通ゲーム、第１共通ゲーム＋第３共通ゲーム、及び、第２共通ゲーム＋第３共通ゲームのうちの何れかが抽籤で決定される。
【０２１６】
（共通ゲーム：共通ゲーム開始用演出映像）
共通ゲームの何れが実行されるかが決定されると、実行される共通ゲームに応じた共通ゲーム開始用演出映像が表示されるようになっている。共通ゲーム開始用演出映像は、センターコントローラ２００のＲＡＭ２４３に記憶されている。図４６に示すように、共通ゲーム開始用演出映像は、上部ディスプレイ７００と６つのゲーム端末１０における端末画像表示パネル１６とに同様の態様となるように表示されるようになっている。
【０２１７】
図４６は、第１共通ゲームが開始される際に表示される上部ディスプレイ７００と端末画像表示パネル１６との表示態様を示す図である。具体的に、上部ディスプレイ７００には、右から左へ複数種類の多数の魚群映像７２１が通過するゲーム開始用演出映像が表示される。また、上部ディスプレイ７００において、各ゲーム端末領域７０３ａ〜７０３ｆに表示される映像と同様の魚群映像７２１が各ゲーム端末１０ａ〜１０ｆの端末画像表示パネル１６に夫々表示されるようになっている。
【０２１８】
例えば、ゲーム開始用演出映像は、６つのゲーム端末領域７０３毎にデータが分割されている。センターコントローラ２００は、それらのデータを夫々ゲーム端末１０へ振り分けることで、上部ディスプレイ７００と端末画像表示パネル１６とに同様の態様でゲーム開始用演出映像を表示することができる。
【０２１９】
（共通ゲーム：第１共通ゲーム画面）
次に、各共通ゲームについて説明する。図４７は、第１共通ゲーム中の上部ディスプレイ７００の表示態様を示す説明図である。３つの上部ディスプレイ７００ａ・７００ｂ・７００ｃで構成される上部ディスプレイ７００には、１つの共通演出表示画面が表示されるようになっている。共通演出表示画面は、６つのゲーム端末１０ａ〜１０ｆの夫々に対応するゲーム端末領域７０３ａ〜７０３ｆで構成されている。
【０２２０】
図４７において、すべてのゲーム端末１０が共通ゲームを実行しており、すべてのゲーム端末１０の端末画像表示パネル１６にルックアップ表示部４０４が表示されている。第１共通ゲームでは、第１の共通ゲームに参加するゲーム端末１０に対応するゲーム端末領域７０３において、単独特別ゲーム用の個別画像７１０と同様に表示されるようになっている。具体的には、共通ゲームに参加するゲーム端末１０に対応するゲーム端末領域７０３に、釣り人画像７１１、釣り針画像７１２、釣り餌画像７１３、魚画像７１４、及び、トータル表示部７１５を有する個別画像７１０が表示される。
【０２２１】
また、釣り餌画像７１３は、単独特別ゲームと同様に、単独特別ゲームにおいて所定額（本実施形態では３０００）以上の単位配当額に対応するボーナスに当籤した場合、大きく表示されるようになっている。例えば、図４７の例では、ゲーム端末１０ｄが１００００の単位配当額に当籤しているため、ゲーム端末領域７０３ｄにおける餌画像７１３が大きく表示されている。
【０２２２】
また、第１共通ゲーム画面には、カウント表示部７２０が表示される。カウント表示部７２０は、第１共通ゲームの残り時間を表示するようになっている。カウント表示部７２０が示す時間が０になった場合に、トータル表示部７１５に示される配当額に、第１共通ゲーム開始時の配当倍率を掛けたものが配当として付与される。
【０２２３】
また、カウント表示部７２０が示す時間が０になった際に、ゲーム端末１０の順位が、獲得したボーナスの単位配当額の合計の大きさで決定される。本実施形態では、１位から３位まで決定され、１位から３位のゲーム端末１０では、順位に応じた配当が付与される。図４８の例では、ゲーム端末１０ｄが合計１０７５０の単位配当額を獲得して１位となっている第１共通ゲーム順位決定画面を示している。第１共通ゲーム順位決定画面では、釣り人画像７１１の下方に順位を示す順位画像７２２が表示され、釣り人画像７１１の上方に順位に応じた配当を示す配当額画像７２１が表示されるようになっている。
【０２２４】
（第１共通ゲーム用確率テーブル）
第１共通ゲームの配当額の決定は、図４９に示される第１共通ゲーム用確率テーブルを参照して行われる。尚、図示しないが、第１共通ゲーム用確率テーブルはゲーム端末１０の数だけ複数種類記憶されており、ゲーム端末１０に異なる第１共通ゲーム用確率テーブルが割り当てられるようになっている。第１共通ゲーム用確率テーブルは、０〜６５５３５の範囲を区分した乱数範囲と当籤ボーナス種別とが対応付けられている。当籤ボーナス種別は、３以上のボーナスが格納されている。例えば、乱数値として３０が抽出された場合、当籤ボーナス種別は、イエローフィンツナ、ワフー、オヒョウ、オヒョウに対応する全てが配当として付与されるようになっている。
【０２２５】
第１共通ゲームの当籤画面は、図４０のゲーム端末領域７０３ｃに示すものと同様の当籤画面が、第１共通ゲームに参加するゲーム端末１０に対応するゲーム端末領域７０３において表示されるようになっている。即ち、図４８の第１共通ゲーム用確率テーブルにおいて乱数値として３０が抽出された場合、イエローフィンツナ、ワフー、オヒョウ、オヒョウを釣り上げる当籤画面が順に表示されるようになっている。
【０２２６】
（共通ゲーム：第２共通ゲーム画面）
図５０は、第２共通ゲーム中の上部ディスプレイ７００の表示態様を示す説明図である。図５０において、ゲーム端末１０ｅを除くゲーム端末１０が共通ゲームを実行しており、ゲーム端末１０ｅを除く端末画像表示パネル１６にルックアップ表示部４０４が表示されている。第２共通ゲームでは、第１共通ゲームと同様の釣り人画像７１１、カウント表示部７２０が表示されると共に、全てのゲーム端末１０に対応するゲーム端末領域７０３において、魚群画像７３１が表示されるようになっている。
【０２２７】
また、カウント表示部７２０が示す時間が０になった際に、ゲーム端末１０の順位が、獲得した当籤数の合計の多さで決定される。第２共通ゲームでは、センターコントローラ２００において、ゲーム端末１０毎に所定の割合で当籤する抽籤が所定の回数行われ、当籤した回数が獲得当籤数として決定される。本実施形態では、１位から３位まで決定され、１位から３位のゲーム端末１０では、順位に応じた配当が付与される。図５１は、第２共通ゲーム順位決定画面を示している。図５１の例では、ゲーム端末１０ｃが合計６の当籤を獲得して１位となっている。また、ゲーム端末１０ｄが合計４の当籤を獲得して３位となっている。第２共通ゲーム順位決定画面では、釣り人画像７１１の下方に順位、獲得当籤数、獲得配当額を示す順位画像７３２が表示されるようになっている。
【０２２８】
（共通ゲーム：第３共通ゲーム画面）
第３共通ゲームが、第１共通ゲーム又は第２共通ゲームの後に実行される場合、図５２のような第３共通ゲーム開始演出画面が表示される。図５２に示すように、第３共通ゲーム開始演出画面には、大物魚画像７３３が表示されるようになっている。その後、第３共通ゲームが開始される。
【０２２９】
図５３は、第３共通ゲーム中の上部ディスプレイ７００の表示態様を示す説明図である。図５３において、すべてのゲーム端末１０が共通ゲームを実行しており、すべてのゲーム端末１０の端末画像表示パネル１６にルックアップ表示部４０４が表示されている。第３共通ゲームでは、第３の共通ゲームに参加するゲーム端末１０に対応するゲーム端末領域７０３において、単独特別ゲーム用の個別画像７１０と同様に表示されるようになっている。具体的には、共通ゲームに参加するゲーム端末１０に対応するゲーム端末領域７０３に、釣り人画像７１１、釣り針画像７１２、大物魚画像７４０、エビ画像７４１、及び、トータル表示部７１５を有する個別画像７１０が表示される。
【０２３０】
エビ画像７４１は、第１共通ゲームの釣り餌画像７１３の代わりに表示されるものであり、エビ画像７４１の大きさに応じた数値画像が表示されている。本実施形態では、エビ画像７４１に、「９０」、「６０」、及び「３０」の何れかの数値が表示されており、第３共通ゲームで当籤しなかった場合は、エビ画像７４１に表示された数値の単位配当額が付与される。
【０２３１】
また、第３共通ゲーム中の画面では、大物魚画像７４０が表示される。大物魚画像７４０は、全ゲーム端末領域７０３内に、ゲーム端末１０よりも少ない数が表示されるようになっている。当籤したゲーム端末１０に対応するゲーム端末領域７０３では、図４０に示すような当籤画像が表示されるようになっている。
【０２３２】
（第３共通ゲーム用確率テーブル）
第３共通ゲームの配当額の決定は、図５４に示される第３共通ゲーム用確率テーブルを参照して行われる。尚、図示しないが、第３共通ゲーム用確率テーブルはゲーム端末１０の数だけ複数種類記憶されており、ゲーム端末１０に異なる第３共通ゲーム用確率テーブルが割り当てられるようになっている。第３共通ゲーム用確率テーブルは、０〜３９９の範囲を区分した乱数範囲と当籤ボーナス種別とが対応付けられている。当籤ボーナス種別は、１のボーナスが格納されている。例えば、乱数値として１０が抽出された場合、当籤ボーナス種別は、ブルーマーリンに対応する配当が付与されるようになっている。但し、当籤したボーナスが既に他のゲーム端末１０に付与されている場合、ボーナスに当籤した場合であっても配当が付与されないようになっている。
【０２３３】
上述のように、第３共通ゲームは、第１共通ゲーム又は第２共通ゲームの後に実行される場合、即ち、第１共通ゲーム又は第２共通ゲームから第３共通ゲームへ発展した場合、両方のボーナス配当を獲得することができるようになっている。
【０２３４】
（コントロールレバー装置６００と個別画像７１０との連動）
上述のようなボーナスゲーム及び共通ゲームにおいて、コントロールレバー装置６００におけるレバー６１００の変動パターンと個別画像７１０の表示パターンとが連動するようになっている。レバー６１００の変動パターンは、ゲーム端末１０のＲＡＭ４３に記憶される変動パターンテーブルに格納されている。また、個別画像７１０の表示パターンは、センターコントローラ２００のＲＡＭ２４３に記憶される表示パターンテーブルに格納されている。図５５及び図５６に示すように、同じ識別情報に夫々変動パターンと表示パターンとが対応付けられており、状況に応じて識別情報が選択され、その識別情報に応じた変動パターンでレバー６１００が変動されると共に、識別情報に応じた表示パターンで個別画像７１０が表示されるようになっている。
【０２３５】
（ゲーミングマシン３００の処理動作：起動処理）
次に、ゲーミングマシン３００において行われる起動処理について説明する。ゲーミングマシン３００に電源が投入されると、図５７に示す起動処理ルーチンが、センターコントローラ２００におけるマザーボード２４０及びゲーミングボード２６０、並びに端末コントローラ６３０におけるマザーボード４０及びゲーミングボード５０で実行される。尚、ゲーミングボード５０・２６０におけるカードスロット５３Ｓ・２６３Ｓには、メモリカード５３・２６３が差し込まれ、ＩＣソケット５４Ｓ・２６４Ｓには、ＧＡＬ５４・２６４が取り付けられているものとする。
【０２３６】
まず、電源ユニット４５・２４５において電源スイッチの投入（電源の投入）が行われると、マザーボード４０・２４０及びゲーミングボード５０・２６０が起動される。マザーボード４０・２４０及びゲーミングボード５０・２６０が起動されると、それぞれ別個の処理が並行して行われる。すなわち、ゲーミングボード５０・２６０では、ＣＰＵ５１・２６１が、ブートＲＯＭ５２・２６２に格納されている予備認証プログラムの読み出しを行い、その読み出した予備認証プログラムに従い、マザーボード４０・２４０への取込前に予め認証プログラムの改寛が行われていないことを確認及び証明する予備認証を行う（Ｓ２１）。一方、マザーボード４０・２４０では、メインＣＰＵ４１・２４１が、ＲＯＭ４２・２４２に格納されているＢＩＯＳを実行して、ＢＩＯＳに組み込まれている圧縮データをＲＡＭ４３・２４３に展開する（Ｓ２２）。そして、メインＣＰＵ４１・２４１は、ＲＡＭ４３・２４３に展開されたＢＩＯＳを実行し、各種周辺装置の診断と初期化とを行う（Ｓ２３）。
【０２３７】
すると、メインＣＰＵ４１・２４１には、ＰＣＩバスを介して、ゲーミングボード５０・２６０のＲＯＭ５５・２６５が接続されているので、メインＣＰＵ４１・２４１は、ＲＯＭ５５・２６５に格納されている認証プログラムの読み出しを行うとともに、読み出した認証プログラムをＲＡＭ４３・２４３に記憶させる処理を行う（Ｓ２４）。このとき、メインＣＰＵ４１・２４１は、ＢＩＯＳの標準ＢＩＯＳの機能に従い、ＡＤＤＳＵＭ方式（標準チェック機能）によるチェックサムを取り、格納が間違いなく行われるか否かの確認処理を行いながら、認証プログラムをＲＡＭ４３・２４３に記憶させる。
【０２３８】
次に、メインＣＰＵ４１・２４１は、ＩＤＥバスに何が接続されているのかを確認した上で、ＩＤＥバスを介してカードスロット５３Ｓ・２６３Ｓに差し込まれているメモリカード５３・２６３にアクセスし、メモリカード５３・２６３から、ゲームプログラム及びゲームシステムプログラムの読み出しを行う。この場合、メインＣＰＵ４１・２４１は、ゲームプログラム及びゲームシステムプログラムを構成するデータを４バイトずつ読み出す。続いて、メインＣＰＵ４１・２４１は、ＲＡＭ４３・２４３に記憶された認証プログラムに従い、読み出したゲームプログラム及びゲームシステムプログラムの改憲が行われていないことを確認及び証明する認証を行う（Ｓ２５）。
【０２３９】
この認証処理が正常に終了すると、メインＣＰＵ４１・２４１は、認証対象となった（認証された）ゲームプログラム及びゲームシステムプログラムをＲＡＭ４３・２４３に書き込み記憶させる（Ｓ２６）。
【０２４０】
次に、メインＣＰＵ４１・２４１は、ＰＣＩバスを介してＩＣソケット５４Ｓ・２６４Ｓに取り付けられているＧＡＬ５４・２６４にアクセスし、ＧＡＬ５４・２６４から、ペイアウト率設定用データを読み込み、ＲＡＭ４３・２４３に書き込み記憶させる（Ｓ２７）。
【０２４１】
次に、メインＣＰＵ４１・２４１は、ＰＣＩバスを介して、ゲーミングボード５０・２６０のＲＯＭ５５・２６５に格納されている国識別情報の読み出しを行うとともに、読み出した国識別情報をＲＡＭ４３・２４３に記憶させる処理を行う（Ｓ２８）。
【０２４２】
上述した処理を行った後、メインＣＰＵ４１・２４１は、図５８に示すイニシャル処理を実行する。
【０２４３】
（ゲーミングマシン３００の処理動作：イニシャル処理）
次に、ゲーミングマシン３００において行われるイニシャル処理について説明する。センターコントローラ２００は、図５７に示す起動処理の実行が終了すると、図５８に示すセンター側初期設定ルーチンをＲＡＭ２４３から読み出して実行する。ゲーム端末１０は、図５７に示す起動処理の実行が終了すると、図５８に示す端末側初期設定ルーチンをＲＡＭ４３から読み出して実行する。センター側初期設定ルーチン及び端末側初期設定ルーチンは、並行して実行される。
【０２４４】
まず、ゲーム端末１０のメインＣＰＵ４１は、ＲＡＭ４３等の各ワークメモリの動作チェック、各種センサの動作チェック、各種駆動機構の動作チェック、及び各種電飾の動作チェックを行う（Ａ１）。例えば、駆動機構の動作チェックにおいて、レバー６１００を始点位置から終点位置まで回動させ、各位置における磁力検出値を検出し、ＲＡＭ４３におけるレバー位置設定テーブルを更新する処理を行う。そして、メインＣＰＵ４１は、チェック結果が全て正常であるか否かを判定する（Ａ２）。チェック結果が全て正常でないと判定された場合には（Ａ２：ＮＯ）、センターコントローラ２００に対して異常信号を出力し（Ａ３）、ランプ３０を点灯させる等により異常状態を報知し（Ａ４）、本ルーチンの実行を終了する。
【０２４５】
一方、Ａ２の処理において、チェック結果が全て正常であると判定された場合には（Ａ２：ＹＥＳ）、センターコントローラ２００に対して初期設定信号を出力する（Ａ５）。次に、センターコントローラ２００から初期設定信号を受信するまで待機を行う（Ａ６、Ａ７：ＮＯ）。
【０２４６】
センターコントローラ２００のメインＣＰＵ２４１は、各端末からの信号を受け付ける（Ｂ１）。次に、受け付けた信号が異常信号であるか否かを判定する（Ｂ２）。異常信号であると判定された場合には（Ｂ２：ＹＥＳ）、図示しないホストコンピュータ等のサーバに対して異常信号を出力し（Ｂ９）、異常状態を報知し（Ｂ１０）、本ルーチンの実行を終了する。
【０２４７】
一方、メインＣＰＵ２４１は、Ｂ２の処理において、異常信号でないと判定された場合には（Ｂ２：ＮＯ）、電源が投入されてから所定の時間（チェック時間）経過しているか否かを判定する（Ｂ３）。チェック時間が経過していると判定された場合には（Ｂ３：ＹＥＳ）、Ｂ９の処理を実行する。一方、チェック時間が経過していないと判定された場合には（Ｂ３：ＮＯ）、全てのゲーム端末１０から初期設定信号を受信したか否かを判定する（Ｂ４）。全てのゲーム端末１０から初期設定信号を受信していないと判定された場合には（Ｂ４：ＮＯ）、Ｂ１の処理に戻る。一方、全てのゲーム端末１０から初期設定信号を受信したと判定された場合には（Ｂ４：ＹＥＳ）、ＲＡＭ２４３等の各ワークメモリの動作チェック、各種センサの動作チェック、各種駆動機構の動作チェック、及び各種電飾の動作チェックを行う（Ｂ５）。そして、メインＣＰＵ２４１は、チェック結果が全て正常であるか否かを判定する（Ｂ６）。チェック結果が全て正常でないと判定された場合には（Ｂ６：ＮＯ）、Ｂ９の処理を実行する。
【０２４８】
一方、Ｂ６の処理において、チェック結果が全て正常であると判定された場合には（Ｂ６：ＹＥＳ）、全てのゲーム端末１０に対して初期設定信号を出力し（Ｂ７）、共有ディスプレイ１０２にデモ画面を表示させ（Ｂ８）、本ルーチンの実行を終了する。
【０２４９】
そして、ゲーム端末１０のメインＣＰＵ４１は、Ａ７の処理において、センターコントローラ２００から初期設定信号を受信したと判定し（Ａ７：ＹＥＳ）、端末画像表示パネル１６にデモ画面を表示させ（Ａ７）、本ルーチンの実行を終了する。
【０２５０】
（ゲーム端末１０の処理動作：端末側ベースゲーム処理ルーチン）
次に、ゲーム端末１０のメインＣＰＵ４１は、図５８に示す端末側初期設定ルーチンの実行を終了すると、図５９に示す端末側ベースゲーム処理ルーチンを実行する。メインＣＰＵ４１が端末側ベースゲーム処理ルーチンを実行することによって、ベースゲームが進行される。
【０２５１】
図５９に示すように、ゲーム端末処理ルーチンにおいては、コインがＢＥＴされたか否かが判定される（Ｃ１）。この処理において、１−ＢＥＴボタン２６が押されることによる１−ＢＥＴスイッチ２６Ｓからの入力信号を受信したか否かが判定されると共に、最大ＢＥＴボタン２７が押されることによる最大ＢＥＴスイッチ２７Ｓからの入力信号を受信したか否かが判定される。コインがＢＥＴされていない場合には（Ｃ１：ＮＯ）、Ｃ１が再実行されることによって、ＢＥＴされるまで待機状態となる。
【０２５２】
一方、コインがＢＥＴされた場合には（Ｃ１：ＹＥＳ）、ＢＥＴされたコインの枚数に応じて、ＲＡＭ４３に記憶されたクレジット数が減算される（Ｃ２）。尚、ＢＥＴされるコインの枚数がＲＡＭ４３に記憶されたクレジット数より多い場合には、クレジット数を減算する処理が行われることなしに、後述のＣ３に処理が移行する。また、ＢＥＴされるコインの枚数が、１回の遊技にＢＥＴすることが可能な上限値（本実施形態では５０枚）を超える場合には、クレジット数を減算する処理が行われることなしに、後述のＣ３に処理が移行する。
【０２５３】
次に、スピンボタン２３又はコントロールレバー装置６００によるスタートが行われたか否かが判定される（Ｃ３）。スタートされない場合には（Ｃ３：ＮＯ）、Ｃ１に処理が戻される。尚、スタートされなかった場合（例えば、スタートされずに遊技を終了する旨の指示が入力された場合）には、Ｃ２における減算結果がキャンセルされる。尚、コントロールレバー装置６００によるスタートについては、レバー６１００が基準位置から特定の角度を超えて前方又は後方に傾けられたか否かで判定される。尚、特定の角度は、レバー６１００が規制部材６４０２（６４０２ａ、６４０２ｂ）に当接するときの傾き角度に対応する第１の角度よりも小さい角度に設定されている。この判定においては、本体ＰＣＢ６０から入力される磁力検出データの示す磁力検出値でレバー位置設定テーブルが参照されて、レバー６１００のレバー位置（レバー６１００の傾き角度）が取得される。そして、取得されたレバー位置に基づいて、レバー６１００が基準位置から特定の角度を越えて傾けられたか判定される。
【０２５４】
一方、スタートされた場合には（Ｃ３：ＹＥＳ）、ＢＥＴ額情報送信処理が実行される（Ｃ４）。すなわち、ＢＥＴされたゲーム価値を示すＢＥＴ額情報信号を、センターコントローラ２００に送信する。また、このときに、ＢＥＴされたＢＥＴ額がＲＡＭ４３等の記憶領域に格納される。この記憶領域は、単位ゲームが実行され、ＢＥＴが行われる毎に更新される。即ち、共通ゲーム（セカンドゲーム）が実行された場合に、その共通ゲームの直前に行われた単位ゲームにおけるＢＥＴのＢＥＴ額が格納されることになる。尚、本実施形態では、ＢＥＴにより有効化されたペイラインＬの数の情報が送信されるようになっているがこれに限定されない。
【０２５５】
次に、シンボル決定処理が実行される（Ｃ５）。即ち、ＲＡＭ４３に記憶された停止シンボル決定プログラムが実行されることによって、表示窓１５０に停止するシンボル５０１が決定される。これにより、ペイラインＬ上に停止するシンボルのコンビネーションが決定される。
【０２５６】
この後、端末画像表示パネル１６においてシンボル５０１がスクロール表示されるシンボルスクロール表示処理が実行される（Ｃ６）。尚、このシンボルスクロール表示処理は、シンボル５０１が矢符方向にスクロールされた後、Ｃ５の処理において決定されたシンボル５０１が表示窓１５０に停止（再配置）されるものである。
【０２５７】
次に、表示窓１５０上に再配置されたシンボル５０１のコンビネーションにより、ウイニングが成立しているか否かが判定される（Ｃ７）。ウイニングが成立していると判定された場合には（Ｃ７：ＹＥＳ）、払出処理が実行される（Ｃ８）。すなわち、ウイニングが成立していれば、そのウイニングに基づくコインの払出枚数が算出される。一方、Ｃ７の処理において、ウイニングが成立していないと判定された場合には（Ｃ７：ＮＯ）、Ｃ９の処理を実行する。
【０２５８】
Ｃ８の払出処理を実行すると、次に、メインＣＰＵ４１は、ボーナスゲームを開始するか否かを判定する（Ｃ９）。具体的に、メインＣＰＵ４１は、ペイラインＬ上に所定数以上の特別シンボル５１０が再配置された場合、又は、３列目のビデオリール１５３に特別シンボル５１０が再配置されず抽選によりミステリーボーナスに当籤した場合について、ボーナスゲームを開始すると判定する。ボーナスゲームを開始しない場合（Ｃ９：ＮＯ）は、Ｃ１の処理を実行する。
【０２５９】
一方、ボーナスゲームを開始する場合（Ｃ９：ＹＥＳ）は、端末側ボーナスゲーム処理を実行する（Ｃ１０）。端末側ボーナスゲーム処理については、図６０を参照して後述する。その後、共通ゲームトリガーであるか否かを判定する（Ｃ１１）。具体的に、メインＣＰＵ４１は、センターコントローラ２００から共通ゲーム開始用演出映像表示指令を受信しているか否かを判定する。共通ゲームトリガーでない場合（Ｃ１１：ＮＯ）は、Ｃ１の処理を実行する。
【０２６０】
一方、共通ゲームトリガーである場合（Ｃ１１：ＹＥＳ）、端末側共通ゲーム処理を実行する（Ｃ１２）。端末側共通ゲーム処理については、図６１を参照して後述する。その後、Ｃ１の処理を実行する。
【０２６１】
（ゲーム端末１０の処理動作：端末側ボーナスゲーム処理ルーチン）
ゲーム端末１０のメインＣＰＵ４１は、図５９に示す端末側ベースゲーム処理（Ｃ１０の処理）において、図６０に示す端末側ボーナスゲーム処理ルーチンを実行する。
【０２６２】
図６０に示すように、メインＣＰＵ４１は、ボーナスゲームが単独特別ゲームであるか否かを判定する（Ｄ１）。ボーナスゲームが単独特別ゲームでない場合（Ｄ１：ＮＯ）、即ち、ボーナスゲームがミステリーボーナスである場合は、メインＣＰＵ４１は、ミステリーボーナス抽籤を実行する（Ｄ２）。具体的に、メインＣＰＵ４１は、図４１のミステリーボーナス開始抽籤テーブルを参照して、抽出した乱数値が「発生」、「演出のみ」、「発生しない」のいずれの範囲であるかを決定する。
【０２６３】
次に、メインＣＰＵ４１は、演出を行うか否かを判定する（Ｄ３）。具体的に、メインＣＰＵ４１は、ミステリーボーナス抽籤において、「発生」、「演出のみ」に決定した場合に演出を行うと決定する。演出を行わない場合（Ｄ３：ＮＯ）、即ち、ミステリーボーナス抽籤において、「発生しない」に決定した場合は、本ルーチンを終了する。
【０２６４】
一方、演出を行う場合（Ｄ３：ＹＥＳ）、メインＣＰＵ４１は、共通ゲーム中であるか否かを判定する（Ｄ４）。共通ゲーム中でない場合、演出開始信号をセンターコントローラ２００へ送信する（Ｄ５）。尚、センターコントローラ２００は、ステップＤ５で送信される演出開始信号を受信した場合、図４３に示されるような演出を行う。ステップＤ３において演出を行わないと判定した場合（Ｄ３）、又は、演出開始信号を送信した後、ミステリーボーナスを発生させるか否かを判定する（Ｄ６）。具体的に、ミステリーボーナス抽籤において、「発生」に決定した場合にミステリーボーナスを発生させる。
【０２６５】
ミステリーボーナスを発生させない場合（Ｄ６：ＮＯ）、本ルーチンを終了する。一方、ミステリーボーナスを発生させる場合（Ｄ６：ＹＥＳ）、メインＣＰＵ４１は、ボーナス抽籤を行う（Ｄ７）。具体的に、図４２のミステリーボーナス用確率テーブルを参照して、抽出した乱数値が何れの当籤ボーナス種別の範囲であるかを決定する。その後、当籤したボーナスに応じた配当を付与し（Ｄ１０）、本ルーチンを終了する。
【０２６６】
一方、ステップＤ１において、単独特別ゲームであると判定した場合、メインＣＰＵ４１は、単独特別ゲームを開始する旨を示す単独特別ゲーム情報信号をセンターコントローラ２００へ送信する（Ｄ８）。ここで、図３５に示すような、ルックアップ表示部４０４を、端末画像表示パネル１６に表示する。尚、図示しないが、センターコントローラ２００が単独特別ゲーム情報信号を受信した場合、共通ゲームが行われているかを判定する。センターコントローラ２００は、共通ゲームが行われていないと判定した場合、図３７及び図４０のような演出を実行すると共に、単独特別ゲーム情報信号を送信したゲーム端末１０に対応するＬＥＤユニット８０１を発光させ、図３９に示す単独特別ゲーム用確率テーブルを用いて配当を決定する抽籤のみを行って配当情報を送信する。一方、センターコントローラ２００は、共通ゲームが行われている場合、抽籤のみを行って配当情報を送信する。
【０２６７】
その後、センターコントローラ２００からの配当情報を受信したか否かを判定する（Ｄ９）。配当情報を受信しない場合（Ｄ９：ＮＯ）、ステップＤ９を繰り返して待機状態となる。センターコントローラ２００から配当情報を受信した場合（Ｄ９：ＹＥＳ）、その配当情報に従い、配当を付与し（Ｄ１０）、本ルーチンを終了する。
【０２６８】
（ゲーム端末１０の処理動作：端末側共通ゲーム処理ルーチン）
ゲーム端末１０のメインＣＰＵ４１は、図５９に示す端末側共通ゲーム処理（Ｃ１２の処理）において、図６１に示す端末側共通ゲーム処理ルーチンを実行する。
【０２６９】
図６１に示すように、メインＣＰＵ４１は、センターコントローラ２００から共通ゲーム開始用演出映像表示指令を受信したか否かを判定する（Ｅ１）。その後、受信した共通ゲーム開始用演出映像表示指令に従い、図４６に示すような共通ゲーム開始用演出映像を表示する（Ｅ２）。そして、共通ゲーム開始信号を受信したか否かを判定する（Ｅ３）。共通ゲーム開始信号を受信しない場合（Ｅ３：ＮＯ）は、本ルーチンを終了する。
【０２７０】
一方、共通ゲーム開始信号を受信した場合（Ｅ３：ＹＥＳ）、図３５に示すようなルックアップ表示を行う（Ｅ４）。尚、図示しないが、共通ゲーム開始用演出映像表示指令が演出のみを行う旨の情報を含んでいる場合、ステップＥ２の処理の後、本ルーチンを終了する。
【０２７１】
次に、メインＣＰＵ４１は、センターコントローラ２００から配当情報を受信したか否かを判定する（Ｅ５）。配当情報を受信しない場合は待機する（Ｅ５：ＮＯ）。配当情報を受信した場合（Ｅ５：ＹＥＳ）、獲得した単位配当額の合計に配当倍率を乗算して、付与する配当を算出する（Ｅ６）。その後、算出した配当を付与して（Ｅ７）本ルーチンを終了する。
【０２７２】
（センターコントローラ２００の処理動作：共通ゲーム処理ルーチン）
センターコントローラ２００のメインＣＰＵ２４１は、図５８に示すセンター側初期設定ルーチンの実行を終了すると、図６２に示す共通ゲーム処理ルーチンを実行する。図示しないが、共通ゲーム処理ルーチンは、所定時間毎（本実施形態では１秒毎）に実行されるようになっている。
【０２７３】
図６２に示すように、メインＣＰＵ２４１は、共通ゲーム開始の抽籤を実行する（Ｆ１）。具体的に、図４４の共通ゲーム開始抽籤テーブルを参照して、抽出した乱数値が「発生」、「演出のみ」、「発生しない」のいずれの範囲であるかを決定する。尚、ここで、図４５の共通ゲーム種別抽籤テーブルを参照して、抽出した乱数値が何れの共通ゲームを発生させるものであるかを決定する。
【０２７４】
次に、メインＣＰＵ２４１は、共通ゲーム開始用の演出を発生させるか否かを判定する（Ｆ２）。具体的に、ステップＦ１の処理の結果、「発生」、「演出のみ」の場合に演出を発生させる。共通ゲーム開始用の演出を発生させない場合（Ｆ２：ＮＯ）、本ルーチンを終了する。
【０２７５】
一方、共通ゲーム開始用の演出を発生させる場合（Ｆ２：ＹＥＳ）、メインＣＰＵ２４１は、何れかのゲーム端末１０において、ボーナスゲームが発生中であるかを判定する（Ｆ３）。ボーナスゲームが発生中である場合、ボーナスゲームが終了するまで待機する（Ｆ３：ＹＥＳ）。ボーナスゲームが発生中でない場合（Ｆ３：ＮＯ）、決定した共通ゲームの種類に応じた共通ゲーム開始用演出映像表示指令を全ゲーム端末１０へ送信する（Ｆ４）と共に、共通ゲーム開始演出映像を上部ディスプレイ７００に表示する（Ｆ５）。
【０２７６】
その後、メインＣＰＵ２４１は、共通ゲーム開始信号を、共通ゲームの参加資格を有するゲーム端末１０へ送信する（Ｆ６）。具体的に、図３１に示す共通ゲーム参加資格時間管理テーブルを参照し、参加資格時間を有するゲーム端末１０へ共通ゲーム開始信号を送信する。尚、共通ゲーム開始信号は、共通ゲーム参加資格時間管理テーブルにおいて各ゲーム端末１０が有する共通ゲーム参加資格時間で最も高い配当倍率を有している。即ち、メインＣＰＵ２４１は、ゲーム端末１０に対し、夫々が有する最も高い配当倍率を報知する。
【０２７７】
そして、メインＣＰＵ２４１は、図４９の第１共通ゲーム用確率テーブルや図５４の第３共通ゲーム用確率テーブル等を参照して、参加ゲーム端末１０毎の当籤ボーナス種別を決定する（Ｆ７）。その後、決定した参加ゲーム端末１０毎の当籤ボーナス種別に基づき、参加ゲーム端末１０毎の配当を決定し、各ゲーム端末１０へ配当情報を送信し（Ｆ８）、本ルーチンを終了する。
【０２７８】
尚、共通ゲームが実行されている期間にも共通ゲーム抽籤処理が実行されるようになっている。共通ゲームが実行されている期間に、共通ゲームの開始に当籤した場合、共通ゲームに参加しているゲーム端末１０以外の参加資格時間を有するゲーム端末１０に対して固定配当の付与が行われるようになっている。具体的に、センターコントローラ２００は、共通ゲームに参加しているゲーム端末１０以外の参加資格時間を有するゲーム端末１０に対して固定配当の情報を含む固定配当情報を送信する。固定配当情報を受信したゲーム端末１０は、固定配当情報に基づいて配当を付与する処理を実行する。
【０２７９】
（ゲーム端末１０の処理動作：基準角度記憶処理ルーチン）
また、ゲーム端末１０においては、基準角度記憶処理ルーチンと初期設定処理ルーチンと警告処理ルーチンとを独立して実行している。以下に各処理について詳細に説明する。
【０２８０】
図６３に示す手順にて、基準角度記憶処理が実行される。
先ず、ゲーム端末１０の電源をＯＦＦにする（Ｓ１０１）。その後、ディップスイッチの２つあるスイッチのうち両方を“ＯＮ”にする（Ｓ１０２）。これにより、基準角度記憶モードとなり、基準角度を記憶することができるようになる。そして、ゲーム端末１０の電源をＯＦＦにする（Ｓ１０３）。
【０２８１】
その後、レバー６１００を回動させて規制部材６４０２に当接させる（Ｓ１０４）。この際、レバー６１００の回動は自動で行われてもよいし、手動で行ってもよい。そして、レバー６１００が規制部材６４０２に当接された状態で５秒間キープする（Ｓ１０５）。これにより、当接位置における傾き角度が、基準角度として記憶される（Ｓ１０６）。そして、電源をＯＦＦにし（Ｓ１０７）、ディップスイッチの２つあるスイッチを両方ＯＦＦにする（Ｓ１０８）。尚、第２設定角度演算値を所望の設定に変更する場合は、この後に行うことで、第２設定角度に反映される。
【０２８２】
尚、ディップスイッチは、ＬＥＤ（例えば、緑に発光）により、各ステップにおけるステータスを報知可能にされていてもよい。例えば、ステップＳ１０６において、基準角度が正常に記憶された場合は、常時点灯するＬＥＤを２回点滅させて、処理が正常に完了した旨を報知してもよい。
【０２８３】
（ゲーム端末１０の処理動作：初期設定処理ルーチン）
ゲーム端末１０の所定のリセットタイミングにて、図６４の初期設定処理が実行される。
先ず、システムのリセットが行われたか否かが判定される（Ｓ２０１）。システムのリセットが行われない場合（Ｓ２０１：ＮＯ）、本ルーチンは終了される。一方、システムのリセットが行われた場合（Ｓ２０１：ＹＥＳ）、ディップスイッチの設定（ＤＩＰ１、ＤＩＰ２のＯＮ／ＯＦＦ）が判定される（Ｓ２０２）。そして、設定に応じた演算値（第１設定角度演算値、第２設定角度演算値）を用いて第１設定角度、及び、第２設定角度の初期化が行われる（Ｓ２０３）。
【０２８４】
（ゲーム端末１０の処理動作：警告処理ルーチン）
ゲーム実行中において、警告処理（図６５参照）が実行される。
【０２８５】
そして、図６５に示すように、警告処理においては、先ず、ゲーム実行中であるか否かが判定される（Ｓ３０１）。ゲーム実行中でない場合（Ｓ３０１：ＮＯ）、本ルーチンが終了される。一方、ゲーム実行中である場合（Ｓ３０１：ＹＥＳ）、履歴情報を取得する（Ｓ３０２）。
【０２８６】
尚、本実施形態における履歴情報を図６６に示す。履歴情報は、図６６に示すように、履歴情報テーブルに格納されている。具体的に、履歴情報テーブルは、検出対象欄と、時刻欄と、違反時間欄と、範囲欄とを有している。検出対象欄には、図２に示されるような「上限第１設定角度」、「上限第２設定角度」、「下限第１設定角度」、及び、「上限第２設定角度」に該当する傾き角度を検出した場合に、これらのいずれかが格納される。時刻欄には、これらの傾き角度を検出した時刻が格納される。違反時間欄には、これら「上限第１設定角度」、「上限第２設定角度」、「下限第１設定角度」、及び、「上限第２設定角度」で設定される「第１警告範囲」又は、「第２警告範囲」となっていた期間が格納される。範囲欄には、違反期間が設定される場合に対応する「第１警告範囲」又は、「第２警告範囲」が格納される。
【０２８７】
例えば、図６６の場合、時刻「１１：２７：００」に上限第１設定角度を検出している。そして、その後、時刻「１１：２７：０６」に再度上限第１設定角度を検出している。即ち、第１警告範囲内に入っていた違反期間は６秒であることが格納される。
【０２８８】
また、時刻「１２：１２：００」に上限第１設定角度を検出している。そして、時刻「１２：１２：０１」に上限第２設定角度を検出している。そして、時刻「１２：１２：０３」に再度上限第２設定角度を検出している。その後、時刻「１２：１２：０４」に再度上限第１設定角度を検出している。即ち、第２警告範囲に入っていた違反時間は２秒であり、第１警告範囲内に入っていた違反期間は４秒であることが格納される。
【０２８９】
図６５に戻る。そして、履歴情報が、図５及び図６に示すような、第１警告条件又は第２警告条件に合致しているか否かが判定される（Ｓ３０３）。ここで、履歴情報は、時間の経過に対するレバー６１００の傾き角度の変化が記憶されている。そして、第１警告条件又は第２警告条件に合致した場合（Ｓ３０３：ＹＥＳ）、警告レベルが最大であるか否かが判定される（Ｓ３０４）。警告レベルが最大でない場合（Ｓ３０４：ＮＯ）は、警告レベルに応じた警告が報知され（Ｓ３０５）、計時が開始される。尚、計時は、区分期間を計測するために行われる。即ち、ステップＳ３０３において、履歴情報が第１・第２警告条件に合致しない場合（Ｓ３０３：ＮＯ）、区分期間が経過しているか否かが判定される（Ｓ３０７）。区分期間が経過している場合（Ｓ３０７：ＹＥＳ）、警告レベルはリセット（Ｓ３０８）され、ステップＳ３０１に戻る。一方、区分期間が経過していない場合（Ｓ３０７：ＮＯ）、ステップＳ３０１に戻る。
【０２９０】
また、ステップＳ３０４において、警告レベルが最大である場合は（Ｓ３０４：ＹＥＳ）、実行中のゲームがセカンドゲームであるか否かが判定される（Ｓ３０９）。そして、セカンドゲームでない場合は（Ｓ３０９：ＮＯ）、ステップＳ３０１に戻る。一方、セカンドゲームである場合は（Ｓ３０９：ＹＥＳ）、ゲーム無効処理を実行する（Ｓ３１０）。
【０２９１】
具体的に、ゲーム無効処理においては、次のような処理が実行される。即ち、セカンドゲームにおいて、払出が決定している配当について無効化する。そして、共通ゲームの直前に実行された単位ゲーム（ベースゲーム）でＢＥＴしたＢＥＴ額をプレイヤに返還する。尚、セカンドゲームにて順位が決定されるものである場合、無効化に順位は影響されない。即ち、配当のみが無効化され、順位等は無効にされない。
【０２９２】
尚、本実施形態において、セカンドゲーム（共通ゲーム）は、ＢＥＴを条件としないが、これに限定されない。例えば、セカンドゲームが所定のクレジットを消費して開始される場合、セカンドゲームが無効化されたときに当該クレジットを返還するものであってもよい。
【０２９３】
そして、警告報知された後の計時開始（Ｓ３０６）後、又は、ゲーム無効処理（S３１０）の後、モータ停止処理が行われ（Ｓ３１１）、ステップＳ３０１に戻る。
【０２９４】
ステップＳ３１１のモータ停止処理においては、支持機構６２００の回動モータ６２０２、及び、振動モータ６１０１が停止される。具体的に、ゲーム端末１０は、前述するように、レバー６１００の一端部でこのレバー６１００を回動可能に支持し、レバー６１００の回動に対して負荷を発生可能にする回動モータ６２０２を備える支持機構６２００を有している。また、レバー６１００は、当該レバー６１００を振動可能な振動モータ６１０１を内蔵している。そして、端末コントローラ６３０は、上述のとおり、第１のＢＥＴを条件として実行されるベースゲームと、第２のＢＥＴを条件とし、支持機構６２００によるレバー６１００の回動操作に基づいて実行され、負荷機構によりレバー６１００の回動に対して負荷を発生させるセカンドゲームとを実行する。
【０２９５】
このように、警告の報知が行われている期間について（支持機構６２００）による負荷の発生と振動モータ６１０１による振動の発生とが停止される。具体的なタイミングについて、以下に説明する。即ち、負荷又は振動が発生しているときに警告が報知された場合、警告が報知されたタイミングで各モータが停止される。また、負荷又は振動の発生するタイミングに警告が表示されることになった場合、当該負荷又は振動の発生が中止されることになる。即ち、警告報知が解除されても、当該負荷又は振動の発生で開始される一連の演出は実行されないことになる。尚、警告報知が解除された後は、負荷又は振動は発生可能である。
【０２９６】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【０２９７】
例えば、実施形態中で用いた演出の態様、及び、数値等はこれに限定されるものではない。また、ゲーム端末１０及びセンターコントローラ間で送受信されるデータ等、限定されるものではない。例えば、本実施形態では、ＢＥＴにより有効化されたペイラインＬの数の情報が送信されるようになっているが、これに限定されず、ＢＥＴ額そのものの情報を送信するものであってもよい。この場合、ペイライン数に対応付けられたテーブル等を、ＢＥＴ額や、ＢＥＴ額の範囲に対応付けるものであってもよい。
【０２９８】
また、本実施形態では、通常ゲーム、ボーナスゲーム、及び共通ゲームにおける配当を抽籤により決定した後に夫々の演出を行っていたがこれに限定されず演出中に行うものであってもよい。例えば、ボーナスゲーム及び共通ゲーム中の演出として、魚画像７１４、及び、釣り餌画像７１３を用いて配当額の大きさを示す演出を行っているが、この釣り餌画像７１３を用いて以下に示すような演出を行ってもよい。
【０２９９】
具体的に、魚画像７１４が釣り餌画像７１３に近づく演出を行い、その魚画像７１４に対応するボーナスに当籤する確率が大きい（例えば、７３％以上）場合には釣り餌画像７１３を赤色で表示し、その魚画像７１４に対応するボーナスに当籤する確率が中程度である（例えば、５４％以上）場合には釣り餌画像７１３をオレンジ色で表示し、その魚画像７１４に対応するボーナスに当籤する確率が低い（例えば、５３％未満）場合には釣り餌画像７１３を緑色のままで表示するものであってもよい。また、釣り餌画像７１３を赤色で表示する場合には口をあけて釣り餌画像７１３を襲い掛かる態様で魚画像７１４を表示してもよいし、釣り餌画像７１３をオレンジ色で表示する場合には釣り餌画像７１３を口でつつく態様で魚画像７１４を表示してもよい。
【０３００】
また、図３０で示した通常ゲーム用参加資格時間付与テーブルは、有効化されたペイライン数毎に複数の配当倍率が付与されるものであったがこれに限定されない。例えば、図６７に示すように、有効化されたペイライン数毎に単独の配当倍率が付与されるものであってもよい。
【０３０１】
具体的に、図６７の例では、有効化されたペイラインが１である場合は、配当倍率が１倍の参加資格時間が５秒付与される。また、有効化されたペイラインが２である場合は、配当倍率が２倍の参加資格時間が５秒付与される。有効化されたペイラインが３である場合は、配当倍率が３倍の参加資格時間が５秒付与される。有効化されたペイラインが５である場合は、配当倍率が５倍の参加資格時間が５秒付与される。有効化されたペイラインが１０である場合は、配当倍率が１０倍の参加資格時間が５秒付与される。
【０３０２】
このように、有効化されたペイライン数毎に単独の配当倍率を付与することで、例えば、プレイヤが同じＢＥＴ額でのＢＥＴを繰り返すことで、同じ配当倍率の参加資格時間が累積されるようになる。これにより、少なくとも該配当倍率未満の参加資格時間は累積されないため、参加資格時間が０になるまで一定以上の配当倍率の参加資格時間を保有することができる。
【０３０３】
また、本実施形態では、いずれかのゲーム端末１０が、単独特別ゲーム、又は、ミステリーボーナスに当籤し、これに係る演出が上部ディスプレイ７００のいずれかのゲーム端末領域７０３で行われている場合、共通ゲームの開始が決定された場合であっても演出の終了を待機した後に共通ゲームを開始するものであったがこれに限定されない。例えば、共通ゲームの開始が決定された場合、単独特別ゲーム、又は、ミステリーボーナスに係る演出をキャンセルして、共通ゲームを開始するものであってもよい。これにより、共通ゲームへの参加資格を有するゲーム端末１０を待機させることなく共通ゲームを開始することができる。
【０３０４】
また、ゲーミングマシン３００においてゲームが行われていない場合、又は、いずれかのゲーム端末１０においてゲームが行われていない場合、図６８に示すように、上部ディスプレイ７００に過去に配当として付与されたボーナス種別のランキングを表示するものであってもよい。
【０３０５】
図６８の例では、ゲーム端末１０ｃにおいてゲームが行われていない様子を示している。具体的に、ゲーム端末１０ｃに対応するゲーム端末領域７０３ｃの中央の領域には、ランキング画像７５０が表示されている。ランキング画像７５０は、ランク領域７５０ａ、名前領域７５０ｂ、日付領域７５０ｃ、及び、魚領域７５０ｄを有している。ランク領域７５０ａには、獲得ボーナスの大きさを示す順位が表示される。名前領域７５０ｂには、ボーナスを獲得したプレイヤの名前が表示される。尚、ゲーム端末１０にプレイヤを識別する名称や会員番号等が記憶された会員カード等を収容可能である場合は、その名称や会員番号等を表示するものであってもよい。日付領域７５０ｃには、ボーナスを獲得した日付が表示される。魚領域７５０ｄには獲得したボーナスに対応する魚の画像が表示されている。尚、魚領域７５０ｄに、獲得したボーナスを示す文字列を表示するものであってもよいし、獲得したボーナスの単位配当額を表示するものであってもよいし、魚の画像を含めたこれらの１以上を表示するものであってもよい。また、ランキングは、獲得したボーナスの単位配当額を基準に順位付けするものであってもよいし、単位配当額に配当倍率を乗算したものを基準に順位付けするものであってもよい。
【０３０６】
また、上述した詳細な説明では、本発明をより容易に理解できるように、特徴的部分を中心に説明した。本発明は、上述した詳細な説明に記載する実施形態に限定されず、その他の実施形態にも適用することができ、その適用範囲は多様である。また、本明細書において用いた用語及び語法は、本発明を的確に説明するために用いたものであり、本発明の解釈を制限するために用いたものではない。また、当業者であれば、本明細書に記載された発明の概念から、本発明の概念に含まれる他の構成、システム、方法等を推考することは容易であると思われる。従って、請求の範囲の記載は、本発明の技術的思想の範囲を逸脱しない範囲で均等な構成を含むものであるとみなされなければならない。また、要約書の目的は、特許庁及び一般的公共機関や、特許、法律用語又は専門用語に精通していない本技術分野に属する技術者等が本出願の技術的な内容及びその本質を簡易な調査で速やかに判定し得るようにするものである。従って、要約書は、請求の範囲の記載により評価されるべき発明の範囲を限定することを意図したものではない。また、本発明の目的及び本発明の特有の効果を十分に理解するために、すでに開示されている文献等を充分に参酌して解釈されることが望まれる。
【０３０７】
上述した詳細な説明は、コンピュータで実行される処理を含むものである。以上での説明及び表現は、当業者が最も効率的に理解することを目的として記載している。本明細書では、１の結果を導き出すために用いられる各ステップは、自己矛盾がない処理として理解されるべきである。また、各ステップでは、電気的又は磁気的な信号の送受信、記録等が行われる。各ステップにおける処理では、このような信号を、ビット、値、シンボル、文字、用語、数字等で表現しているが、これらは単に説明上便利であるために用いたものであることに留意する必要がある。また、各ステップにおける処理は、人間の行動と共通する表現で記載される場合があるが、本明細書で説明する処理は、原則的に各種の装置により実行されるものである。また、各ステップを行うために要求されるその他の構成は、以上の説明から自明になるものである。
【符号の説明】
【０３０８】
１０    ゲーム端末
１６    端末画像表示パネル
１５０  表示窓
１５１〜１５５  ビデオリール
２００    センターコントローラ
３００    ゲーミングマシン
５０１    シンボル
５１０  特別シンボル
７００    上部ディスプレイ
【図１】
2013118903.tif 000003
【図２】
2013118903.tif 000004
【図３】
2013118903.tif 000005
【図４】
2013118903.tif 000006
【図５】
2013118903.tif 000007
【図６】
2013118903.tif 000008
【図７】
2013118903.tif 000009
【図８】
2013118903.tif 000010
【図９】
2013118903.tif 000011
【図１０】
2013118903.tif 000012
【図１１】
2013118903.tif 000013
【図１２】
2013118903.tif 000014
【図１３】
2013118903.tif 000015
【図１４】
2013118903.tif 000016
【図１５】
2013118903.tif 000017
【図１６】
2013118903.tif 000018
【図１７】
2013118903.tif 000019
【図１８】
2013118903.tif 000020
【図１９】
2013118903.tif 000021
【図２０】
2013118903.tif 000022
【図２１】
2013118903.tif 000023
【図２２】
2013118903.tif 000024
【図２３】
2013118903.tif 000025
【図２４】
2013118903.tif 000026
【図２５】
2013118903.tif 000027
【図２６】
2013118903.tif 000028
【図２７】
2013118903.tif 000029
【図２８】
2013118903.tif 000030
【図２９】
2013118903.tif 000031
【図３０】
2013118903.tif 000032
【図３１】
2013118903.tif 000033
【図３２】
2013118903.tif 000034
【図３３】
2013118903.tif 000035
【図３４】
2013118903.tif 000036
【図３５】
2013118903.tif 000037
【図３６】
2013118903.tif 000038
【図３７】
2013118903.tif 000039
【図３８】
2013118903.tif 000040
【図３９】
2013118903.tif 000041
【図４０】
2013118903.tif 000042
【図４１】
2013118903.tif 000043
【図４２】
2013118903.tif 000044
【図４３】
2013118903.tif 000045
【図４４】
2013118903.tif 000046
【図４５】
2013118903.tif 000047
【図４６】
2013118903.tif 000048
【図４７】
2013118903.tif 000049
【図４８】
2013118903.tif 000050
【図４９】
2013118903.tif 000051
【図５０】
2013118903.tif 000052
【図５１】
2013118903.tif 000053
【図５２】
2013118903.tif 000054
【図５３】
2013118903.tif 000055
【図５４】
2013118903.tif 000056
【図５５】
2013118903.tif 000057
【図５６】
2013118903.tif 000058
【図５７】
2013118903.tif 000059
【図５８】
2013118903.tif 000060
【図５９】
2013118903.tif 000061
【図６０】
2013118903.tif 000062
【図６１】
2013118903.tif 000063
【図６２】
2013118903.tif 000064
【図６３】
2013118903.tif 000065
【図６４】
2013118903.tif 000066
【図６５】
2013118903.tif 000067
【図６６】
2013118903.tif 000068
【図６７】
2013118903.tif 000069
【図６８】
2013118903.tif 000070